(57)【要約】【課題】環境にかかわらず、記録シートの表面凹凸にならった濃淡パターンの発生を抑える。【解決手段】中間転写ベルト３１とニップ形成ローラ３６との当接による２次転写ニップにおけるベルトから記録シートへのトナー像の転写性に影響を及ぼす要因となる温湿度の情報を取得する温度センサや湿度センサを設け、２次転写バイアスの交流成分のピークツウピーク値を定電圧制御で出力し、温湿度の検知結果に応じて前記ピークツウピーク値の定電圧制御における出力目標値を変化させ、且つ、前記出力目標値が大きくなるほど、２次転写バイアスの直流成分の定電流制御における出力目標値を小さくする処理を実施するように２次転写電源３９や制御部を構成した。【選択図】図１
2018022183.tif 000002
【特許請求の範囲】
【請求項１】
自らの表面にトナー像を担持する像担持体と、
前記表面に当接して転写ニップを形成するニップ形成部材と、
前記像担持体と前記ニップ形成部材との間に交番電界からなる転写電界を形成するための転写バイアスを出力する転写バイアス出力手段とを備え、
前記転写ニップに挟み込んだ記録シートに対して前記像担持体の表面上のトナー像を転写し、
且つ、前記転写バイアス出力手段が、転写バイアスとして、直流バイアスに交流バイアスを重畳した重畳バイアスからなるものを出力するものである画像形成装置において、
前記転写ニップにおける前記像担持体から前記記録シートへのトナー像の転写性に影響を及ぼす要因となる転写影響要因の情報を取得する情報取得手段を設けるとともに、
前記情報取得手段による取得結果に応じて前記交流バイアスのピークツウピーク電圧値の出力目標値を変化させ、且つ、前記出力目標値が大きくなるほど、前記直流バイアスの出力目標値を小さくする処理を実施するように前記転写バイアス出力手段を構成したことを特徴とする画像形成装置。
【請求項２】
請求項１の画像形成装置において、
前記直流バイアスを定電流制御によって出力し、且つ前記ピークツウピーク電圧値の出力目標値を大きくするほど前記直流バイアスの定電流制御における出力目標値を小さくする処理を実施するように前記転写バイアス出力手段を構成したことを特徴とする画像形成装置。
【請求項３】
請求項１の画像形成装置において、
前記直流バイアスを定電圧制御によって出力し、且つ前記ピークツウピーク電圧値の目標値を大きくするほど前記直流バイアスの定電圧制御における出力目標値を小さくする処理を実施するように前記転写バイアス出力手段を構成したことを特徴とする画像形成装置。
【請求項４】
請求項２又は３の画像形成装置において、
前記情報取得手段として、前記転写影響要因の情報たる温度情報を取得するものを用いるとともに、
前記温度情報によって示される温度値が低くなるほど前記ピークツウピーク電圧値の出力目標値を大きくする処理を実施するように前記転写バイアス出力手段を構成したことを特徴とする画像形成装置。
【請求項５】
請求項２乃至４の何れかの画像形成装置において、
前記情報取得手段として、前記転写影響要因の情報たる湿度情報を取得するものを用いるとともに、
前記湿度情報によって示される湿度値が低くなるほど前記ピークツウピーク電圧値の出力目標値を大きくする処理を実施するように前記転写バイアス出力手段を構成したことを特徴とする画像形成装置。
【請求項６】
請求項２乃至５の何れかの画像形成装置において、
前記情報取得手段として、前記転写影響要因の情報たる、前記転写ニップに送り込まれる記録シートの厚み情報を取得するものを用いるとともに、
前記厚み情報によって示される厚み値が大きくなるほど前記ピークツウピーク電圧値の出力目標値を大きくする処理を実施するように前記転写バイアス出力手段を構成したことを特徴とする画像形成装置。
【請求項７】
請求項２乃至６の何れかの画像形成装置において、
前記情報取得手段として、前記転写影響要因の情報たる、前記転写ニップに送り込まれる記録シートの表面凹凸における凹部の深さ情報を取得するものを用いるとともに、
前記深さ情報によって示される深さ値が大きくなるほど前記ピークツウピーク電圧値の出力目標値を大きくする処理を実施するように前記転写バイアス出力手段を構成したことを特徴とする画像形成装置。
【請求項８】
請求項２乃至７の何れかの画像形成装置において、
前記情報取得手段として、前記転写影響要因の情報たる、前記像担持体の表面上の単位面積あたりにおけるトナー付着量の情報を取得するものを用いるとともに、
前記トナー付着量の情報によって示される付着量が多くなるほど前記ピークツウピーク電圧値の出力目標値を大きくする処理を実施するように前記転写バイアス出力手段を構成したことを特徴とする画像形成装置。
【請求項９】
請求項１乃至８の何れかの画像形成装置において、
前記交流バイアスを定電圧制御で出力するように、前記転写バイアス出力手段を構成したことを特徴とする画像形成装置。
【請求項１０】
請求項１乃至９の何れかの画像形成装置において、
前記転写バイアスとして、前記重畳バイアスの１周期内における時間平均電位が１周期内における最大電位と最小電位との中心値よりもトナーを前記転写ニップ内で前記像担持体から記録シートに静電転移させ易くする側にシフトした値であるものを出力させるように、前記転写バイアス出力手段を構成したことを特徴とする画像形成装置。
【請求項１１】
請求項１乃至１０の何れかの画像形成装置において、
前記転写バイアスとして、前記重畳バイアスの１周期内でプラス極性になる時間であるプラス時間とマイナス極性になるマイナス時間とのうち、前記転写ニップ内における記録シート表面から像担持体表面へのトナーの逆戻りに寄与する方が０．０３［ｍｓｅｃ］以上であるものを出力させるように、前記転写バイアス出力手段を構成したことを特徴とする画像形成装置。
【請求項１２】
請求項１乃至１１の何れかの画像形成装置において、
前記交流バイアスの周波数ｆ［Ｈｚ］と、前記転写ニップの像担持体表面移動方向の長さであるニップ幅ｄ［ｍｍ］と、前記像担持体の表面移動速度ｖ［ｍｍ／ｓ］とについて「ｆ＞（４／ｄ）×ｖ」という条件を具備することを特徴とする画像形成装置。
【請求項１３】
自らの表面にトナー像を担持する像担持体と、
前記表面に当接して転写ニップを形成するニップ形成部材と、
前記像担持体と前記ニップ形成部材との間に交番電界からなる転写電界を形成するための転写バイアスを出力する転写バイアス出力手段とを備え、
前記転写ニップに挟み込んだ記録シートに対して前記像担持体の表面上のトナー像を転写し、
且つ、前記転写バイアス出力手段が、転写バイアスとして、直流バイアスに交流バイアスを重畳した重畳バイアスからなるものを出力するものである画像形成装置において、
温度、湿度、前記転写ニップに送り込まれる記録シートの厚み、前記転写ニップに送り込まれる記録シートの表面凹凸における凹部の深さ、および、前記像担持体の表面上の単位面積あたりにおけるトナー付着量、のうちの少なくとも１つの情報を取得する情報取得手段を設けるとともに、
前記情報取得手段による取得結果に応じて前記交流バイアスのピークツウピーク電圧値の出力目標値を変化させ、且つ、前記出力目標値が大きくなるほど、前記直流バイアスの出力目標値を小さくする処理を実施するように前記転写バイアス出力手段を構成したことを特徴とする画像形成装置。
【請求項１４】
請求項１３の画像形成装置において、
前記直流バイアスを定電流制御によって出力し、且つ前記ピークツウピーク電圧値の出力目標値を大きくするほど前記直流バイアスの定電流制御における出力目標値を小さくする処理を実施するように前記転写バイアス出力手段を構成したことを特徴とする画像形成装置。
【請求項１５】
請求項１３の画像形成装置において、
前記直流バイアスを定電圧制御によって出力し、且つ前記ピークツウピーク電圧値の出力目標値を大きくするほど前記直流バイアスの定電圧制御における出力目標値を小さくする処理を実施するように前記転写バイアス出力手段を構成したことを特徴とする画像形成装置。
【請求項１６】
請求項１３、１４又は１５の画像形成装置において、
前記交流バイアスを定電圧制御で出力するように、前記転写バイアス出力手段を構成したことを特徴とする画像形成装置。
【発明の詳細な説明】
【技術分野】
【０００１】
本発明は、像担持体とニップ形成部材との当接による転写ニップに転写電界を形成するための転写バイアスとして、交流バイアスと直流バイアスとを重畳した重畳バイアスからなるものを出力する転写バイアス出力手段を備える画像形成装置に関するものである。
【背景技術】
【０００２】
従来、この種の画像形成装置としては、特許文献１に記載のものが知られている。この画像形成装置は、周知の電子写真プロセスによってドラム状の感光体の表面に形成したトナー像を中間転写ベルトに転写した後、ベルトと２次転写ローラとの当接による２次転写ニップで記録シートに２次転写する。かかる構成において、記録シートとして、和紙のような表面凹凸に富んだものを用いると、表面凹凸にならった濃淡パターンを画像中に発生させ易くなる。この濃淡パターンは、紙表面における凹部に対して十分量のトナーが転写されずに、凹部の画像濃度が凸部よりも薄くなることによって生じるものである。そこで、特許文献１に記載の画像形成装置においては、２次転写バイアスとして、交流バイアスと直流バイアスとを重畳した重畳バイアスを２次転写ローラに印加するようになっている。２次転写バイアスとして重畳バイアスを用いることで、記録シート表面の凹部において十分な画像濃度を得て濃淡パターンの発生を抑えることができる。
【発明の概要】
【発明が解決しようとする課題】
【０００３】
しかしながら、本発明者らは実験により、２次転写バイアスの交流成分のピークツウピーク電圧値を転写影響要因に応じて適切にコントロールしないと、記録シート表面の凹部で十分な画像濃度が得られずに濃淡パターンを発生させてしまうことを見出した。転写影響要因は、２次転写ニップ内における中間転写ベルトから記録シートへのトナー像の転写性に影響を与える要因であり、温度、湿度、記録シートの厚み、シート表面の凹部の深さ、像担持体の表面上における単位面積あたりのトナー付着量などが挙げられる。また、本発明者らは、次のような構成では、低温低湿環境下において、記録シートの凹部で十分な画像濃度が得られなくなることを見出した。即ち、交流成分のピークツウピーク電圧値を所定の出力目標値と同じ値にするように交流バイアスを定電圧制御又は定電流制御し、その出力目標値を温度などの転写影響要因に応じて変化させ、且つ直流成分を定電流制御又は定電圧制御で出力する構成である。かかる構成においてシート表面の凹部で十分な画像濃度が得られなくなる原因は、次のようなものであることもわかった。即ち、低温低湿環境下では、２次転写バイアスの送りピーク値（図２２のＶｔ）が大きくなり過ぎて、２次転写ニップ内の記録シート表面の凹部内で放電によるトナー粒子の逆帯電を引き起こすからである。逆帯電により、画像におけるシート表面の凹部の箇所に白点状の白抜けが発生して、シート表面における凹部上での画像濃度不足の原因になっていたのである。
【０００４】
本発明は、以上の背景に鑑みてなされたものであり、その目的とするところは、環境にかかわらず、記録シートの表面凹凸にならった濃淡パターンの発生を抑えることができる画像形成装置や画像形成方法を提供することである。
【課題を解決するための手段】
【０００５】
上記目的を達成するために、本発明は、自らの表面にトナー像を担持する像担持体と、前記表面に当接して転写ニップを形成するニップ形成部材と、前記像担持体と前記ニップ形成部材との間に交番電界からなる転写電界を形成するための転写バイアスを出力する転写バイアス出力手段とを備え、前記転写ニップに挟み込んだ記録シートに対して前記像担持体の表面上のトナー像を転写し、且つ、前記転写バイアス出力手段が、転写バイアスとして、直流バイアスに交流バイアスを重畳した重畳バイアスからなるものを出力するものである画像形成装置において、前記転写ニップにおける前記像担持体から前記記録シートへのトナー像の転写性に影響を及ぼす要因となる転写影響要因の情報を取得する情報取得手段を設けるとともに、前記情報取得手段による取得結果に応じて前記交流バイアスのピークツウピーク電圧値の出力目標値を変化させ、且つ、前記出力目標値が大きくなるほど、前記直流バイアスの出力目標値を小さくする処理を実施するように前記転写バイアス出力手段を構成したことを特徴とするものである。
【発明の効果】
【０００６】
本発明においては、交流バイアスのピークツウピーク電圧値の出力目標値を、温湿度などの転写影響要因に応じて変化させつつ、転写ニップ内で像担持体と記録シートとの間に流れる直流電流の量を適切に制御する。
このような制御により、交流バイアスのピークツウピーク電圧値をそれほど大きくする必要のない高温高湿環境下では、転写ニップ内の記録シートの凹部で放電を発生させないほど小さな値にピークツウピーク電圧値を留めつつ、像担持体表面と、記録シート表面の凸部や凹部との間に有効な転写電界を形成する。これにより、記録シート表面の凸部と、凹部との両方において十分な画像濃度を得て、記録シート表面の凹凸にならった画像の濃淡パターンの発生を抑えることができる。
一方、交流バイアスのピークツウピーク電圧値を比較的大きくする必要のある低温低湿環境下では、記録シート表面の凸部と、凹部との両方でそれぞれ十分な画像濃度を得ようとすると、既に述べたように、送りピーク値（Ｖｔ）が大きくなり過ぎて放電に起因する白抜けを記録シート表面の凹部上の画像箇所に発生させてしまう。これにより、濃淡パターンを却って目立たせてしまう。そこで、本発明においては、交流バイアスのピークツウピーク電圧値を大きくするにつれて、直流バイアスの出力目標値を小さくすることで、送りピーク値Ｖｔをより小さくするとともに、戻しピーク値（図２２のＶｒ）をより大きくする。これにより、放電に起因する白抜けの発生を抑え得る値に送りピーク値（Ｖｔ）を留めつつ、記録シート表面の凹部内のトナー粒子を像担持体表面に逆戻りさせ得る戻しピーク値（Ｖｒ）を確保する。実験により、ピークツウピーク電圧値を大きくするにつれて、転写ニップ内でトナー粒子を像担持体表面から離脱させるために直流バイアスの値を小さくし得ることがわかった。よって、ピークツウピーク電圧値を大きくするにつれて、直流バイアスの出力目標値を小さくしても、記録シート表面の凸部や凹部で画像濃度不足を引き起こすことはない。直流バイアスの出力目標値を小さくすることで、記録シートに流れる直流電流の量がより少なくなることから、記録シート表面の凹部や凸部の両方で画像濃度が薄くなるが、白抜けや、凸部よりも凹部の画像濃度が薄くなる現象は抑えられる。よって、記録シート表面の凹凸にならった画像の濃淡パターンの発生を抑えることができる。
以上のように、本発明では、環境にかかわらず、記録シートの表面凹凸にならった濃淡パターンの発生を抑えることができる。
【図面の簡単な説明】
【０００７】
【図１】実施形態に係るプリンタを示す概略構成図。
【図２】同プリンタにおけるＫ用の画像形成ユニットを拡大して示す拡大構成図。
【図３】同プリンタにおける２次転写バイアスの供給形態の第２例を示す拡大構成図。
【図４】同プリンタにおける２次転写バイアスの供給形態の第３例を示す拡大構成図。
【図５】同プリンタにおける２次転写バイアスの供給形態の第４例を示す拡大構成図。
【図６】同プリンタにおける２次転写バイアスの供給形態の第５例を示す拡大構成図。
【図７】同プリンタにおける２次転写バイアスの供給形態の第６例を示す拡大構成図。
【図８】同プリンタにおける２次転写バイアスの供給形態の第７例を示す拡大構成図。
【図９】同プリンタにおける２次転写バイアスの供給形態の第８例を示す拡大構成図。
【図１０】同プリンタの２次転写バイアス電源から出力される重畳電圧からなる２次転写バイアスの波形を示す波形図。
【図１１】実験に使用された転写実験装置を示す概略構成図。
【図１２】２次転写ニップにおける転写初期段階のトナーの挙動を示す拡大模式図。
【図１３】２次転写ニップにおける転写中期段階のトナーの挙動を示す拡大模式図。
【図１４】２次転写ニップにおける転写後期段階のトナーの挙動を示す拡大模式図。
【図１５】凹部のＩＤｍａｘ値と交流成分の周波数ｆとの関係を示すグラフ。
【図１６】矩形波からなる交流成分を具備する２次転写バイアスの一例を示す波形図。
【図１７】実施形態に係るプリンタの電気回路の一部を示すブロック図。
【図１８】第１変形例に係るプリンタにおける作像ユニット１の一部を示す構成図。
【図１９】第２変形例に係るプリンタにおける作像ユニット１の一部と、紙搬送ベルトユニットとを示す構成図。
【図２０】第３変形例に係るプリンタにおける各色の作像ユニットの一部と、転写ユニットとを示す構成図。
【図２１】第４変形例に係るプリンタの要部を示す要部構成図。
【発明を実施するための形態】
【０００８】
以下、本発明を適用した画像形成装置として、電子写真方式のカラープリンタ（以下、単にプリンタという）の実施形態について説明する前に、本発明を理解する上で参考になる参考形態に係るプリンタについて説明する。
まず、実施形態に係るプリンタの基本的な構成について説明する。図１は、実施形態に係るプリンタを示す概略構成図である。同図において、実施形態に係るプリンタは、イエロー（Ｙ），マゼンダ（Ｍ），シアン（Ｃ），ブラック（Ｋ）のトナー像を形成するための４つの画像形成ユニット１Ｙ，Ｍ，Ｃ，Ｋを備えている。また、転写装置としての転写ユニット３０、光書込ユニット８０、定着装置９０、給紙カセット１００、レジストローラ対１０１等も備えている。
【０００９】
４つの画像形成ユニット１Ｙ，Ｍ，Ｃ，Ｋは、画像形成物質として、互いに異なる色のＹ，Ｍ，Ｃ，Ｋトナーを用いるが、それ以外は同様の構成になっており、寿命到達時に交換される。Ｋトナー像を形成するための画像形成ユニット１Ｋを例にすると、これは、図２に示すように、潜像担持体たるドラム状の感光体２Ｋ、ドラムクリーニング装置３Ｋ、除電装置（不図示）、帯電装置６Ｋ、現像装置８Ｋ等を備えている。画像形成ユニット１Ｙ，Ｍ，Ｃ，Ｋは、それらの装置を共通の保持体に保持してプリンタ本体に対して一体的に脱着されることで、それらの装置が同時に交換されるようになっている。
【００１０】
感光体２Ｋは、ドラム基体の表面上に有機感光層が形成された外径６０［ｍｍ］程度のドラム形状のものであって、図示しない駆動手段によって図中時計回り方向に回転駆動される。帯電装置６Ｋは、帯電バイアスが印加される帯電ローラ７Ｋを感光体２Ｋに接触あるいは近接させながら、帯電ローラ７Ｋと感光体２Ｋとの間に放電を発生させることで、感光体２Ｋの表面を一様帯電せしめる。参考形態では、トナーの正規帯電極性と同じマイナス極性に一様帯電せしめる。帯電バイアスとしては、直流電圧に交流電圧を重畳したものを採用している。帯電ローラ７Ｋは、金属製の芯金の表面に導電性弾性材料からなる導電性弾性層が被覆されたものである。帯電ローラ等の帯電部材を感光体２Ｋに接触あるいは近接させる方式に代えて、帯電チャージャーによる方式を採用してもよい。
【００１１】
帯電装置６Ｋによって一様帯電せしめられた感光体２Ｋの表面は、後述する光書込ユニットから発せられるレーザー光によって光走査されてＫ用の静電潜像を担持する。このＫ用の静電潜像は、図示しないＫトナーを用いる現像装置８Ｋによって現像されてＫトナー像になる。そして、後述する中間転写ベルト３１上に１次転写される。
【００１２】
ドラムクリーニング装置３Ｋは、１次転写工程（後述する１次転写ニップ）を経た後の感光体２Ｋ表面に付着している転写残トナーを除去する。回転駆動されるクリーニングブラシローラ４Ｋ、片持ち支持された状態で自由端を感光体２Ｋに当接させるクリーニングブレード５Ｋなどを有している。そして、回転するクリーニングブラシローラ４Ｋで転写残トナーを感光体２Ｋ表面から掻き取ったり、クリーニングブレードで転写残トナーを感光体２Ｋ表面から掻き落としたりする。なお、クリーニングブレードについては、その片持ち支持端側を自由端側よりもドラム回転方向下流側に向けるカウンタ方向で感光体２Ｋに当接させている。
【００１３】
上記除電装置は、ドラムクリーニング装置３Ｋによってクリーニングされた後の感光体２Ｋの残留電荷を除電する。この除電により、感光体２Ｋの表面が初期化されて次の画像形成に備えられる。
【００１４】
現像装置８Ｋは、現像ロール９Ｋを内包する現像部１２Ｋと、図示しないＫ現像剤を撹拌搬送する現像剤搬送部１３Ｋとを有している。そして、現像剤搬送部１３Ｋは、第１スクリュウ部材１０Ｋを収容する第１搬送室と、第２スクリュウ部材１１Ｋを収容する第２搬送室とを有している。それらスクリュウ部材は、それぞれ、軸線方向の両端部がそれぞれ軸受けによって回転自在に支持される回転軸部材と、これの周面に螺旋状に突設せしめられた螺旋羽根とを具備している。
【００１５】
第１スクリュウ部材１０Ｋを収容している第１搬送室と、第２スクリュウ部材１１Ｋを収容している第２搬送室とは、仕切り壁によって仕切られているが、仕切壁におけるスクリュウ軸線方向の両端箇所には、それぞれ両搬送室を連通させる連通口が形成されている。第１スクリュウ部材１０Ｋは、螺旋羽根内に保持している図示しないＫ現像剤を、回転駆動に伴って回転方向に撹拌しながら、図中の紙面に直交する方向の奥側から手前側に向けて搬送する。第１スクリュウ部材１０Ｋと、後述する現像ロール９Ｋとは互いに向かい合う姿勢で平行配設されているため、このときのＫ現像剤の搬送方向は、現像ロール９Ｋの回転軸線方向に沿った方向でもある。そして、第１スクリュウ部材１０Ｋは、現像ロール９Ｋの表面に対してＫ現像剤をその軸線方向に沿って供給していく。
【００１６】
第１スクリュウ部材１０Ｋの図中手前側端部付近まで搬送されたＫ現像剤は、仕切壁の図中手前側端部付近に設けられた連通開口を通って、第２搬送室内に進入した後、第２スクリュウ部材１１Ｋの螺旋羽根内に保持される。そして、第２スクリュウ部材１１Ｋの回転駆動に伴って、回転方向に撹拌されながら、図中手前側から奥側に向けて搬送されていく。
【００１７】
第２搬送室内において、ケーシングの下壁には図示しないトナー濃度センサが設けられており、第２搬送室内のＫ現像剤のＫトナー濃度を検知する。Ｋトナー濃度センサとしては、透磁率センサからなるものが用いられている。Ｋトナーと磁性キャリアとを含有するＫ現像剤の透磁率は、Ｋトナー濃度と相関関係があるため、透磁率センサは、Ｋトナー濃度を検知していることになる。
【００１８】
本プリンタには、Ｙ，Ｍ，Ｃ，Ｋ用の現像装置の第２収容室内にＹ，Ｍ，Ｃ，Ｋトナーをそれぞれ個別に補給するための図示しないＹ，Ｍ，Ｃ，Ｋトナー補給手段が設けられている。そして、プリンタの制御部は、ＲＡＭに、Ｙ，Ｍ，Ｃ，Ｋトナー濃度検知センサからの出力電圧値の目標値であるＹ，Ｍ，Ｃ，Ｋ用のＶｔｒｅｆを記憶している。Ｙ，Ｍ，Ｃ，Ｋトナー濃度検知センサからの出力電圧値と、Ｙ，Ｍ，Ｃ，Ｋ用のＶｔｒｅｆとの差が所定値を超えた場合には、その差に応じた時間だけＹ，Ｍ，Ｃ，Ｋトナー補給手段を駆動する。これにより、Ｙ，Ｍ，Ｃ，Ｋ用の現像装置における第２搬送室内にＹ，Ｍ，Ｃ，Ｋトナーが補給される。
【００１９】
現像部１２Ｋ内に収容されている現像ロール９Ｋは、第１スクリュウ部材１０Ｋに対向しているとともに、ケーシングに設けられた開口を通じて、感光体２Ｋにも対向している。また、現像ロール９Ｋは、回転駆動される非磁性パイプからなる筒状の現像スリーブと、これの内部にスリーブと連れ回らないように固定されたマグネットローラとを具備している。そして、第１スクリュウ部材１０Ｋから供給されるＫ現像剤をマグネットローラの発する磁力によってスリーブ表面に担持しながら、スリーブの回転に伴って、感光体２Ｋに対向する現像領域に搬送する。
【００２０】
現像スリーブには、トナーと同極性であって、感光体２Ｋの静電潜像よりも大きく、且つ感光体２Ｋの一様帯電電位よりも小さな現像バイアスが印加されている。これにより、現像スリーブと感光体２Ｋの静電潜像との間には、現像スリーブ上のＫトナーを静電潜像に向けて静電移動させる現像ポテンシャルが作用する。また、現像スリーブと感光体２Ｋの地肌部との間には、現像スリーブ上のＫトナーをスリーブ表面に向けて移動させる非現像ポテンシャルが作用する。それら現像ポテンシャル及び非現像ポテンシャルの作用により、現像スリーブ上のＫトナーが感光体２Ｋの静電潜像に選択的に転移して、静電潜像をＫトナー像に現像する。
【００２１】
先に示した図１において、Ｙ，Ｍ，Ｃ用の画像形成ユニット１Ｙ，Ｍ，Ｃにおいても、Ｋ用の画像形成ユニット１Ｋと同様にして、感光体２Ｙ，Ｍ，Ｃ上にＹ，Ｍ，Ｃトナー像が形成される。
【００２２】
画像形成ユニット１Ｙ，Ｍ，Ｃ，Ｋの上方には、潜像書込手段たる光書込ユニット８０が配設されている。この光書込ユニット８０は、パーソナルコンピュータ等の外部機器から送られてくる画像情報に基づいてレーザーダイオードから発したレーザー光により、感光体２Ｙ，Ｍ，Ｃ，Ｋを光走査する。この光走査により、感光体２Ｙ，Ｍ，Ｃ，Ｋ上にＹ，Ｍ，Ｃ，Ｋ用の静電潜像が形成される。具体的には、感光体２Ｙの一様帯電した表面の全域のうち、レーザー光が照射された箇所は、電位を減衰せしめる。これにより、レーザー照射箇所の電位が、それ以外の箇所（地肌部）の電位よりも小さい静電潜像となる。なお、光書込ユニット８０は、光源から発したレーザー光Ｌを、図示しないポリゴンモータによって回転駆動したポリゴンミラーで主走査方向に偏光せしめながら、複数の光学レンズやミラーを介して感光体に照射するものである。ＬＥＤアレイの複数のＬＥＤから発したＬＥＤ光によって光書込を行うものを採用してもよい。
【００２３】
画像形成ユニット１Ｙ，Ｍ，Ｃ，Ｋの下方には、無端状の中間転写ベルト３１を張架しながら図中反時計回り方向に無端移動せしめる転写装置としての転写ユニット３０が配設されている。転写ユニット３０は、像担持体たる中間転写ベルト３１の他に、駆動ローラ３２、２次転写裏面ローラ３３、クリーニングバックアップローラ３４などを有している。また、４つの１次転写ローラ３５Ｙ，Ｍ，Ｃ，Ｋ、ニップ形成ローラ３６、ベルトクリーニング装置３７、電位センサ３８なども有している。
【００２４】
中間転写ベルト３１は、そのループ内側に配設された駆動ローラ３２、２次転写裏面ローラ３３、クリーニングバックアップローラ３４、及び４つの１次転写ローラ３５Ｙ，Ｍ，Ｃ，Ｋによって張架されている。そして、図示しない駆動手段によって図中反時計回り方向に回転駆動される駆動ローラ３２の回転力により、同方向に無端移動せしめられる。
【００２５】
中間転写ベルト３１としては、次のような特性を有するものを用いている。即ち、厚みは２０［μｍ］〜２００［μｍ］、好ましくは６０［μｍ］程度である。また、体積抵抗率は６．０〜１３［ＬｏｇΩｃｍ］、好ましくは７．５〜１２．５［ＬｏｇΩｃｍ］である（三菱化学製ハイレスタ−ＵＰ  ＭＣＰ  ＨＴ４５０にて、ＨＲＳプローブ使用、印加電圧１００Ｖ、１０ｍｓｅｃ値の条件で測定）。また、表面抵抗は、９．０〜１３．０［ＬｏｇΩ／□]、好ましくは１０．０〜１２．０［ＬｏｇΩ／□]である（三菱化学製ハイレスタ−ＵＰ  ＭＣＰ  ＨＴ４５０にて、ＨＲＳプローブ使用、印加電圧５００Ｖ、１０ｍｓｅｃ値の条件で測定）。
【００２６】
４つの１次転写ローラ３５Ｙ，Ｍ，Ｃ，Ｋは、無端移動せしめられる中間転写ベルト３１を感光体２Ｙ，Ｍ，Ｃ，Ｋとの間に挟み込んでいる。これにより、中間転写ベルト３１のおもて面と、感光体２Ｙ，Ｍ，Ｃ，Ｋとが当接するＹ，Ｍ，Ｃ，Ｋ用の１次転写ニップが形成されている。１次転写ローラ３５Ｙ，Ｍ，Ｃ，Ｋには、図示しない転写バイアス電源によってそれぞれ１次転写バイアスが印加されている。これにより、感光体２Ｙ，Ｍ，Ｃ，Ｋ上のＹ，Ｍ，Ｃ，Ｋトナー像と、１次転写ローラ３５Ｙ，Ｍ，Ｃ，Ｋとの間に転写電界が形成される。Ｙ用の感光体２Ｙ表面に形成されたＹトナーは、感光体２Ｙの回転に伴ってＹ用の１次転写ニップに進入する。そして、転写電界やニップ圧の作用により、感光体２Ｙ上から中間転写ベルト３１上に１次転写される。このようにしてＹトナー像が１次転写せしめられた中間転写ベルト３１は、その後、Ｍ，Ｃ，Ｋ用の１次転写ニップを順次通過する。そして、感光体２Ｍ，Ｃ，Ｋ上のＭ，Ｃ，Ｋトナー像が、Ｙトナー像上に順次重ね合わせて１次転写される。この重ね合わせの１次転写により、中間転写ベルト３１上には４色重ね合わせトナー像が形成される。
【００２７】
１次転写ローラ３５Ｙ，Ｍ，Ｃ，Ｋは、金属製の芯金と、これの表面上に固定された導電性のスポンジ層とを具備している弾性ローラから構成されている。１自転車ローラ３５Ｙ，Ｍ，Ｃ，Ｋは、感光体２Ｙ，Ｍ，Ｃ，Ｋの軸心に対し、それぞれの軸心を約２．５［ｍｍ］ずつベルト移動方向下流側にずらした位置に配設されている。このような１次転写ローラ３５Ｙ，Ｍ，Ｃ，Ｋに対して、１次転写バイアスが定電流制御によって印加される。なお、１次転写ローラ３５Ｙ，Ｍ，Ｃ，Ｋに代えて、転写チャージャーや転写ブラシなどを採用してもよい。
【００２８】
転写ユニット３０のニップ形成ローラ３６は、中間転写ベルト３１のループ外側に配設されており、ループ内側の２次転写裏面ローラ３３との間に中間転写ベルト３１を挟み込んでいる。これにより、中間転写ベルト３１のおもて面と、ニップ形成ローラ３６とが当接する２次転写ニップＮが形成されている。ニップ形成ローラ３６は接地されているのに対し、２次転写裏面ローラ３３には、２次転写バイアス電源３９によって２次転写バイアスが印加される。これにより、２次転写裏面ローラ３３とニップ形成ローラ３６との間に、マイナス極性のトナーを２次転写裏面ローラ３３側からニップ形成ローラ３６側に向けて静電移動させる２次転写電界が形成される。
【００２９】
転写ユニット３１の下方には、記録シートＰを複数枚重ねた紙束の状態で収容している給紙カセット１００が配設されている。この給紙カセット１００は、紙束の一番上の記録シートＰに給紙ローラ１００ａを当接させており、これを所定のタイミングで回転駆動させることで、その記録シートＰを給紙路に向けて送り出す。給紙路の末端付近には、レジストローラ対１０１が配設されている。このレジストローラ対１０１は、給紙カセット１００から送り出された記録シートＰをローラ間に挟み込むとすぐに両ローラの回転を停止させる。そして、挟み込んだ記録シートＰを２次転写ニップＮ内で中間転写ベルト３１上の４色重ね合わせトナー像に同期させ得るタイミングで回転駆動を再開して、記録シートＰを２次転写ニップＮに向けて送り出す。２次転写ニップＮで記録シートＰに密着せしめられた中間転写ベルト３１上の４色重ね合わせトナー像は、２次転写電界やニップ圧の作用によって記録シートＰ上に一括２次転写され、記録シートＰの白色と相まってフルカラートナー像となる。このようにして表面にフルカラートナー像が形成された記録シートＰは、２次転写ニップＮを通過すると、ニップ形成ローラ３６や中間転写ベルト３１から曲率分離する。
【００３０】
２次転写裏面ローラ３３は、芯金と、これの表面に被覆された導電性弾性層とを具備するものである。そして、２次転写裏面ローラ３３は、次のような特性を有している。即ち、外径は２０〜２４［ｍｍ］である。また、芯金の径は約１６［ｍｍ］である。芯金の表面に被覆された導電性弾性層の抵抗Ｒは１Ｅ６［Ω］〜２Ｅ７［Ω］である。抵抗Ｒは、１次転写ローラと同様の方法によって測定された値である。また、２次転写裏面ローラ３３の抵抗は、６．０〜１２．０［ＬｏｇΩ］、好ましくは４．０［ＬｏｇΩ］である。なお、２次転写裏面ローラ３３として、導電性弾性層を設けていないステンレスローラを使用してもよい。２次転写裏面ローラ３３の抵抗については、次のようにして測定する。即ち、ローラの長手方向の両端部にそれぞれ５［Ｎ］の荷重をかけながら、ローラ軸に１［ｋＶ］の電圧を印加する。そして、ローラを１分間で１回転させている間に抵抗を複数回測定して平均値を求める。
【００３１】
また、ニップ形成ローラ３６は、次のような特性を有している。即ち、外径は約２４［ｍｍ］である。また、芯金の径は約１４［ｍｍ］である。芯金の表面には、導電性のＮＢＲ系ゴム層が被覆されており、その抵抗Ｒは１Ｅ６Ω以下である。抵抗Ｒは、１次転写ローラと同様の方法によって測定された値である。また、ニップ形成ローラ３６の抵抗は、６．０〜８．０［ＬｏｇΩ］、好ましくは７．０〜８．０［ＬｏｇΩ］である。この抵抗は、２次転写裏面ローラ３３と同様の方法によって測定されたものである。
【００３２】
２次転写バイアス電源３９は、２次転写ニップＮに転写電界を形成するための２次転写バイアスを出力するものである。図示の例では、２次転写バイアスとして、直流電圧に交流電圧を重畳せしめた重畳バイアスからなるものを出力するようになっている。２次転写バイアス電源３９の出力端子は、２次転写裏面ローラ３３の芯金に接続されている。２次転写裏面ローラ３３の芯金の電位は、２次転写バイアス電源３９からの出力電圧値とほぼ同じ値になる。また、ニップ形成ローラ３６については、その芯金を接地（アース接続）している。
【００３３】
２次転写バイアス電源３９は、２次転写バイアスの直流電圧として、トナーの帯電極性と同極性のものを出力するようになっており、２次転写バイアス電源３９から出力された２次転写バイアスは、２次転写裏面ローラ３３の芯金に印加される。２次転写裏面ローラ３３とニップ形成ローラ３６との間では、中間転写ベルト３１上のトナーが２次転写裏面ローラ３３側からニップ形成ローラ３６側に静電移動して、記録シートＰに一括２次転写される。
【００３４】
２次転写バイアスの供給形態は、図１に示される形態に限定されるものではない。例えば図３に示されるように、２次転写バイアス電源３９から出力される２次転写バイアスをニップ形成ローラ３６の芯金に印加する一方で、２次転写裏面ローラ３３を接地してもよい。この場合、２次転写バイアスにおける直流電圧として、その極性がトナーの帯電極性とは逆極性のものを出力させる。図３では、トナーの帯電極性がマイナス極性であり、且つ２次転写バイアスの直流電圧がトナーの帯電極性とは逆の＋極性である例を示している。
【００３５】
また、図４に示されるように、２次転写バイアス電源３９から出力される交流電圧を２次転写裏面ローラ３３の芯金に印加する一方で、２次転写バイアス電源３９から出力される直流電圧をニップ形成ローラ３６の芯金に印加してもよい。この場合、図３に示される例と同様に、直流電圧として、その極性がトナーの帯電極性とは逆極性のものを２次転写バイアス電源３９から出力させる。
【００３６】
また、図５に示されるように、２次転写バイアス電源３９から出力される交流電圧をニップ形成ローラ３６の芯金に印加する一方で、２次転写バイアス電源３９から出力される直流電圧を２次転写裏面ローラ３３の芯金に印加してもよい。この場合、直流電圧として、その極性がトナーの帯電極性と同極性のものを２次転写バイアス電源３９から出力させる。
【００３７】
また、図６に示されるように、交流電圧に直流電圧を重畳した重畳電圧を出力する回路と、直流電圧だけを出力する回路とを２次転写バイアス電源３９に設けて、次のようにしてもよい。即ち、それら２つの回路のうち、何れか一方をスイッチング回路によって選択して２次転写裏面ローラ３３に印加するようにしてもよい。この場合、２つの回路における直流電圧としては何れも、トナーの帯電極性と同極性のものを出力させる。
【００３８】
また、図７に示されるように、前述の２つの回路のうち、何れか一方をスイッチング回路によって選択してニップ形成ローラ３６に印加するようにしてもよい。この場合、２つの回路における直流電圧としては何れも、トナーの帯電極性とは逆極性のものを出力させる。
【００３９】
このように、２次転写バイアスの供給形態としては様々なものを採用することが可能であるが、記録シートＰとして表面凹凸のない普通紙を用いる場合には、直流電圧だけからなる２次転写バイアスを用いても画像濃度ムラを引き起こすことがない。そこで、本プリンタにおいては、２次転写バイアス電源３９として、直流電圧だけを出力する第１モードと、直流電圧及び交流電圧の両方を出力する第２モードとを切り替え可能なものを用いている。切り替えのための構成としては、例えば図８や図９に示されるように、直流電圧、交流電圧それぞれについてリレースイッチによって出力のオンオフを制御する構成を例示することができる。
【００４０】
図８に示される例では、２次転写バイアス電源３９が、２次転写裏面ローラ３３に印加される重畳電圧を出力するための重畳電圧回路と、ニップ形成ローラ３６に印加される直流電圧を出力するための直流電圧回路とを有している。２次転写裏面ローラ３３に接続されているリレースイッチは、接点の切り替えにより、重畳電圧回路とアースとの何れか一方だけを導通させる。また、ニップ形成ローラ３６に接続されているリレースイッチは、接点の切り替えにより、直流電圧回路とアースとの何れか一方だけを導通させる。但し、前者のリレースイッチと後者のリレースイッチとは互いに連動しており、前者のリレースイッチが２次転写裏面ローラ３３に対して重畳電圧回路を導通させているときには、後者のリレースイッチがニップ形成ローラ３６に対してアースを導通させる。重畳電圧回路が出力する重畳電圧の直流成分は、トナーの帯電極性と同極性のものである。また、前者のリレースイッチが２次転写裏面ローラ３３に対してアースを導通させているときには、後者のリレースイッチがニップ形成ローラ３６に対して直流電圧回路を導通させる。直流電圧回路から出力される直流電圧は、トナーの帯電極性とは逆極性のものである。
【００４１】
図９に示される例では、２次転写バイアス電源３９が、２次転写裏面ローラ３３に印加される直流電圧を出力するための直流電圧回路と、ニップ形成ローラ３６に印加される重畳電圧を出力するための重畳電圧回路とを有している。２次転写裏面ローラ３３に接続されているリレースイッチは、接点の切り替えにより、直流電圧回路とアースとの何れか一方だけを導通させる。また、ニップ形成ローラ３６に接続されているリレースイッチは、接点の切り替えにより、重畳電圧回路とアースとの何れか一方だけを導通させる。但し、前者のリレースイッチと後者のリレースイッチとは互いに連動しており、前者のリレースイッチが２次転写裏面ローラ３３に対して直流電圧回路を導通させているときには、後者のリレースイッチがニップ形成ローラ３６に対してアースを導通させる。直流電圧回路が出力する直流電圧は、トナーの帯電極性と同極性のものである。また、前者のリレースイッチが２次転写裏面ローラ３３に対してアースを導通させているときには、後者のリレースイッチがニップ形成ローラ３６に対して重畳電圧回路を導通させる。重畳電圧回路から出力される重畳電圧の直流成分は、トナーの帯電極性と同極性のものである。
【００４２】
記録シートＰとして、ザラ紙のような表面凹凸の大きなものではなく、普通紙のような表面凹凸の小さなものが用いられる場合には、凹凸パターンにならった濃淡パターンが出現しない。そこで、この場合、２次転写バイアス電源３９は、第１モードを実施して、２次転写バイアスとして、直流電圧だけからなるものを出力する。これに対し、記録シートＰとして、ザラ紙のような表面凹凸の大きなものが用いられる場合には、第２モードを実施して、２次転写バイアスとして、直流電圧及び交流電圧の両方からなるものを出力する。
【００４３】
２次転写ニップＮを通過した後の中間転写ベルト３１には、記録シートＰに転写されなかった転写残トナーが付着している。これは、中間転写ベルト３１のおもて面に当接しているベルトクリーニング装置３７によってベルト表面からクリーニングされる。中間転写ベルト３１のループ内側に配設されたクリーニングバックアップローラ３４は、ベルトクリーニング装置３７によるベルトのクリーニングをループ内側からバックアップする。
【００４４】
２次転写ニップＮの図中右側方には、定着装置９０が配設されている。この定着装置９０は、ハロゲンランプ等の発熱源を内包する定着ローラ９１と、これに所定の圧力で当接しながら回転する加圧ローラ９２とによって定着ニップを形成している。定着装置９０内に送り込まれた記録シートＰは、その未定着トナー像担持面を定着ローラ９１に密着させる姿勢で、定着ニップに挟まれる。そして、加熱や加圧の影響によってトナー像中のトナーが軟化さしめられて、フルカラー画像が定着せしめられる。定着装置９０内から排出された記録シートＰは、定着後搬送路を経由した後、機外へと排出される。
【００４５】
本プリンタにおいて、モノクロ画像を形成する場合には、転写ユニット３０におけるＹ，Ｍ，Ｃ用の１次転写ローラ３５Ｙ，Ｍ，Ｃを支持している図示しない支持板を移動せしめて、１次転写ローラ３５Ｙ，Ｍ，Ｃ，Ｋを、感光体２Ｙ，Ｍ，Ｃから遠ざける。これにより、中間転写ベルト３１のおもて面を感光体２Ｙ，Ｍ，Ｃから引き離して、中間転写ベルト３１をＫ用の感光体２Ｋだけに当接させる。この状態で、４つの画像形成ユニット１Ｙ，Ｍ，Ｃ，Ｋのうち、Ｋ用の画像形成ユニット１Ｋだけを駆動して、Ｋトナー像を感光体２Ｋ上に形成する。
【００４６】
図１０は、２次転写バイアス電源３９から出力される重畳電圧からなる２次転写バイアスの波形を示す波形図である。この２次転写バイアスは、２次転写裏面ローラ３３の芯金に印加されるものであり、ニップ形成ローラ３６は接地されている（図１又は図８の態様）。２次転写裏面ローラの芯金にこの２次転写バイスが印加されると、２次転写裏面ローラ３３の芯金と、ニップ形成ローラの芯金との間に、電位差が発生する。
【００４７】
同図において、オフセット電圧Ｖｏｆｆは、重畳電圧の直流成分の値である。また、Ｖｐｐは、重畳電圧の交流成分のピークツウピーク電圧値である。この重畳電圧の波形は正弦波であるため、交流成分のディーティは５０［％］である。このため、重畳電圧の時間平均値は、オフセット電圧Ｖｏｆｆと同じ値になる。同図では、オフセット電圧Ｖｏｆｆがトナーの帯電極性と同じマイナス極性になっている。本プリンタでは、２次転写裏面ローラ３３に印加される２次転写バイアスのオフセット電圧Ｖｏｆｆの極性がマイナス極性であることから、２次転写ニップＮ内において、トナー粒子が２次転写裏面ローラ３３側からニップ形成ローラ３６側に相対的に押し出される。但し、トナーは押し出される一方ではなく、２次転写裏面ローラ３３側に引き戻されるときもあるが、時間平均電位がマイナス極性であることから、トナー粒子は相対的にニップ形成ローラ３６側に押し出されていく。
【００４８】
同図において、戻り電位ピーク値Ｖｒは、２次転写バイアスにおけるトナーとは逆極性であるプラス側のピーク値を示している。また、送りピーク値Ｖｔは、２次転写バイアスにおけるトナーと同極性であるマイナス側のピーク値を示している。
【００４９】
次に、本発明者らが行った転写実験について説明する。
引用文献１には、２次転写バイアスとして重畳バイアスからなるものを用いることで記録シート表面の凹部において十分な画像濃度が得られるようになる原理については記載されていない。そこで、本発明者らはその原理を解明するための転写実験を行った。そのために、２次転写バイアスとして、２次転写ニップＮに交番電界を形成するものを用いた。そして、記録シート表面の凹部で十分な画像濃度を得て紙面凹凸にならった濃淡パターンを目立たなくすることができる原因を明らかにするために、特殊な転写実験装置を作製した。
【００５０】
図１１は、その転写実験装置を示す概略構成図である。この転写実験装置は、透明基板２１０、現像装置２３１、Ｚステージ２２０、照明２４１、顕微鏡２４２、高速度カメラ２４３、パーソナルコンピュータ２４４などを備えている。透明基板２１０は、ガラス板２１１と、これの下面に形成されたＩＴＯ（Indium Tin Oxide）からなる透明電極２１２と、透明電極２１２の上に被覆された透明材料からなる透明絶縁層２１３とを具備している。この透明基板２１０は、図示しない基板支持手段によって所定の高さ位置で支持されている。この基板支持手段は、図示しない移動機構によって図中上下左右方向に移動することが可能である。図示の例では、透明基板２１０が金属版２１５を載置したＺステージ２２０の上に位置しているが、基板支持手段の移動により、Ｚステージ２２０の側方に配設された現像装置２３１の真上に移動することも可能である。なお、透明基板２１０の透明電極２１２は、基板支持手段に固定された電極に接続され、この電極は接地されている。
【００５１】
現像装置２３１は、参考形態に係るプリンタの現像装置と同様の構成になっており、スクリュウ部材２３２、現像ロール２３３、ドクターブレード２３４などを有している。現像ロール２３３は、電源２３５によって現像バイアスが印加された状態で回転駆動される。
【００５２】
透明基板２１０が基板支持手段の移動により、現像装置２３１の真上で且つ現像ロール２３３に対して所定のギャップを介して対向する位置まで所定の速度で移動せしめられると、現像ロール２３３上のトナーが透明基板２１０の透明電極２１２上に転移する。これにより、透明基板２１０の透明電極２１２上には所定の厚みのトナー層２１６が形成される。トナー層２１６に対する単位面積あたりのトナー付着量は、現像剤のトナー濃度、トナーの帯電量、現像バイアス値、基板２１０と現像ロール２３３とのギャップ、透明基板２１０の移動速度、現像ロール２３３の回転速度などによって調整することができる。
【００５３】
トナー層２１６が形成された透明基板２１０は、平面状の金属板２１５上に導電性接着剤で貼り付された記録シート２１４との対向位置まで平行移動せしめられる。金属板２１５は、加重センサが設けられた基板２２１上に設置され、基板２２１はＺステージ２２０上に設置されている。また、金属板２１５は、電圧増幅器２１７に接続されている。電圧増幅器２１７には、波形発生装置２１８によって直流電圧及び交番電圧からなる転写バイアスが入力され、金属板２１５には電圧増幅器２１７によって増幅された転写バイアスが印加される。Ｚステージ２２０を駆動制御して金属板２１５を上昇させると、記録用紙２１４がトナー層２１６と接触し始める。金属板２１５を更に上昇させると、トナー層２１６に対する圧力が増加するが、加重センサからの出力が所定の値になるように金属板２１５の上昇を停止させる。圧力を所定値にした状態で、金属板２１５に転写バイアスを印加してトナーの挙動を観察する。観察後は、Ｚステージ２２０を駆動制御して金属板２１５を下降させて、記録用紙２１４を透明基板２１０から離間させる。すると、トナー層２１６は記録用紙２１４上に転写されている。
【００５４】
トナーの挙動の観察については、基板２１０の上方に配設されている顕微鏡２４２及び高速度カメラ２４３を用いて行う。基板２１０は、ガラス板２１１、透明電極２１２、及び透明絶縁層２１３という各層が全て透明材料からなるので、透明電極２１０の上方から、透明基板２１０を介して、透明基板２１０の下側にあるトナーの挙動を観察することができる。
【００５５】
顕微鏡２４２としては、キーエンス社製のズームレンズＶＨ−Ｚ７５からなるものを用いた。また、高速度カメラ２４３としては、フォトロン社製のＦＡＳＴＣＡＭ−ＭＡＸ  １２０ＫＣを用いた。フォトロン社ＦＡＳＴＣＡＭ−ＭＡＸ  １２０ＫＣは、パーソナルコンピュータ２４４によって駆動制御される。顕微鏡２４２及び高速度カメラ２４３は、図示しないカメラ支持手段によって支持されている。このカメラ支持手段は、顕微鏡２４２の焦点を調整できるように構成されている。
【００５６】
トナーの挙動については、次のようにして撮影する。即ち、まず、照明２４１によってトナーの挙動の観察位置に照明光を照射して、顕微鏡２４２の焦点を調整する。次に、金属板２１５に転写バイアスを印加して、透明基板２１０の下面に付着しているトナー層２１６のトナーを、記録シート２１４に向けて移動させる。このときのトナーの挙動を、高速度カメラ２４３で撮影する。
【００５７】
図１１に示される転写実験装置と、実施形態に係るプリンタとでは、トナーを記録シートに転写する転写ニップの構造が異なるため、転写バイアスが同じであっても、トナーに作用する転写電界は異なる。適切な観察条件を調べるために、転写実験装置でも、良好な凹部濃度再現性が得られる転写バイアス条件を調べてみた。記録シート２１４としては、（株）ＮＢＳリコー社製のＦＣ和紙タイプ「さざ波」と呼ばれるものを使用した。トナーとしては、平均粒径６．８［μｍ］のＹトナーに、Ｋトナーを少量混入したものを用いた。転写実験装置では、記録シートの裏面に転写バイアスを印加する構成になっているため、トナーを記録シートに転写し得る転写バイアスの極性が、実施形態に係るプリンタとは逆になっている（即ち、プラス極性）。重畳電圧からなる転写バイアスの交流成分として、波形が正弦波であるものを採用した。交流成分の周波数ｆを１０００［Ｈｚ］、直流電圧（本例ではオフセット電圧Ｖｏｆｆに該当し、時間平均値を同じ値）を２００［Ｖ］、ピークツウピーク電圧値Ｖｐｐを１０００［Ｖ］に設定した。そして、記録シート２１４に対して０．４〜０．５［ｍｇ／ｃｍ２］のトナー付着量でトナー層２１６を転写した。その結果、「さざ波」の表面の凹部上で十分な画像濃度を得ることができた。
【００５８】
そのとき、顕微鏡２４２の焦点を透明基板２１０上のトナー層２１６に合わせて、トナーの挙動を撮影した。すると、次のような現象が観察された。即ち、トナー層２１６中のトナー粒子は、転写バイアスの交流成分によって形成される交番電界により、透明基板２１０と記録シート２１４との間を往復移動するが、その往復移動回数の増加とともに、往復移動するトナー粒子の量が増加した。
【００５９】
具体的には、転写ニップにおいては、転写バイアス（実機では２次転写バイアス）の交流成分の１周期（１／ｆ）が到来する毎に、交番電界が１回作用してトナー粒子が１回往復移動する。初めの１周期では、図１２に示されるように、トナー層２１６のうち、層の表面に存在しているトナー粒子だけが層から離脱する。そして、記録シート２１４の凹部に進入した後、再びトナー層２１６に戻ってくる。このとき、戻ったトナー粒子が、トナー層２１６のトナー粒子に衝突することで、後者のトナー粒子とトナー層２１６や透明基板２１０との付着力を弱める。これにより、次の１周期には、図１３に示されるように、前の１周期よりも多くのトナー粒子がトナー層２１６から離脱する。そして、記録シート２１４の凹部に進入した後、再びトナー層２１６に戻ってくる。このとき、戻ったトナー粒子が、トナー層２１６中にまだ残っていたトナー粒子に衝突することで、後者のトナー粒子とトナー層２１６や透明基板２１０との付着力を弱める。これにより、更に次の１周期には、図１４に示されるように、前の１周期よりも更に多くのトナー粒子がトナー層２１６から離脱する。このように、トナー粒子は往復移動する毎に、その数を徐々に増やしていく。すると、ニップ通過時間が経過したときには（転写実験装置ではニップ通過時間に相当する時間が経過したとき）、記録シート２１４の凹部内に十分量のトナーが転移していることがわかった。
【００６０】
次に、直流電圧を２００［Ｖ］に設定し、且つ交流電圧のピークツウピーク電圧値Ｖｐｐを８００［Ｖ］にした条件で、トナーの挙動を撮影したところ、次のような現象が観察された。即ち、トナー層２１６中のトナー粒子のうち、層の表面に存在しているものが、初めの１周期で層から離脱して記録シートＰの凹部内に進入する。ところが、進入したトナー粒子は、その後、トナー層２１６に向かうことなく、凹部内に留まった。次の１周期が到来したとき、トナー層２１６から新たに離脱して記録シート２１４の凹部内に進入したトナー粒子は、ごく僅かであった。よって、ニップ通過時間が経過した時点で、記録シートＰの凹部内には少量のトナー粒子しか転移していない状態であった。
【００６１】
本発明者らは、更なる観測実験を行った。そして、初めの１周期で、トナー層２１６から記録シート２１４の凹部内に進入したトナー粒子を、再びトナー層２１６に引き戻すことが可能な戻しピーク値Ｖｒの値は、透明基板２１０上における単位面積あたりのトナー付着量に左右されることを見出した。透明基板２１０上におけるトナー付着量が多くなるほど、記録シート２１４の凹部内のトナー粒子をトナー層２１６に引き戻すことが可能な戻しピーク値Ｖｒが大きくなるのである。
【００６２】
このように、２次転写バイアスとして、交流成分と直流成分とを具備するものを用いることで、記録シート２１４の凹部上で十分な画像濃度を得ることができる。しかしながら、２次転写バイアスの交流成分のピークツウピーク電圧値Ｖｐｐを転写影響要因に応じて適切にコントロールしないと、記録シート２１４表面の凹部で十分な画像濃度が得られずに濃淡パターンを発生させてしまうこともわかった。転写影響要因は、２次転写ニップ内における中間転写ベルトから記録シートへのトナー像の転写性に影響を与える要因であり、温度、湿度、記録シートの厚み、シート表面の凹部の深さ、ベルト表面上における単位面積あたりのトナー付着量などが挙げられる。
【００６３】
交流成分のピークツウピーク電圧値Ｖｐｐを転写影響要因に応じて適切にコントロールしなければならないのは、以下に説明する理由による。先に示した図１０において、２次転写バイアスは、０Ｖを中心にしてプラス側、マイナス側にそれぞれ等しい振幅で振れる交流バイアスに対し、トナーの帯電極性とは逆のプラス極性の直流バイアスからなるオフセット電圧Ｖｏｆｆが重畳されたものである。交流成分の１周期のうち、２次転写バイアスがプラス極性になっている期間では、２次転写ニップ内でトナー粒子がベルト表面上のトナー層から離脱して記録シートに向けて移動する。そして、２次転写バイアスが送りピーク値Ｖｔになったタイミングで、トナー粒子をベルト表面側から記録シート側に向けて移動させる方向（以下、送り方向という）の電界強度が最大になる。このときの電界強度をある程度大きくしないと、ベルト表面から記録シートに向けてトナー粒子を良好に転移させることができず、記録シート表面の凹部だけでなく、凸部でも十分な画像濃度が得られなくなってしまう。このため、送り方向の電界強度については、少なくとも記録シート表面の凸部において十分な画像濃度が得られる値まで大きくする必要がある（以下、その値を「送り方向必要電界強度」という）。
【００６４】
一方、２次転写バイアスがマイナス極性になっている期間では、トナー粒子が記録シート側からベルト表面側に向けて逆戻りする。そして、２次転写バイアスが戻しピーク値Ｖｒになったタイミングで、トナー粒子を記録シート側から中間転写ベルト側に向けて逆戻りさせる方向（以下、戻り方向という）の電界強度が最大になる。このとき、記録シートの凹部内に転移しているトナー粒子に対して半周期内でトナー層に逆戻りさせるだけの静電気力を付与しないと、凹部内のトナー粒子をトナー層に逆戻りさせることができなくなることから、凹部で十分な画像濃度が得られなくなってしまう。このため、戻し方向の電界強度については、少なくとも、記録シート表面の凹部内に転移したトナー粒子に対して半周期内でトナー層に逆戻りさせる静電気力を付与する値まで大きくする必要がある（以下、その値を「戻し方向必要電界強度」という）。
【００６５】
送り方向の電界強度は送りピーク値Ｖｔに依存し、戻り方向の電界強度は戻しピーク値Ｖｒに依存し、且つ、それらピーク値の合計は交流成分のピークツウピーク電圧値Ｖｐｐと同じ値である。よって、ピークツウピーク電圧値Ｖｐｐについては、送り方向の電界の強度をちょうど「送り方向必要電界強度」にしつつ、次のようにする必要がある。即ち、戻し方向の電界の強度をちょうど「戻し方向必要電界強度」にする値と同じか、その値よりも大きくする必要がある（以下、その値を「必要ピークツウピーク」という）。そして、その「必要ピークツウピーク」は、転写影響要因の状態によって異なってくる。例えば、転写影響要因の１つである温度や湿度が低下すると、２次転写バイアスが印加される２次転写ローラの電気抵抗が上昇することから、低温低湿環境下では高温高湿環境下に比べて「必要ピークツウピーク」が大きくなる。
【００６６】
ピークツウピーク電圧値Ｖｐｐについて、転写影響要因に応じて適切にコントロールしなければならない理由について、転写影響要因の１つである温度を例にして説明したが、湿度などにも応じてピークツウピーク電圧値Ｖｐｐをコントロールすることが望ましい。
【００６７】
一方、トナー像をベルト表面から記録シートに良好に転写するためには、ベルト表面と記録シートとの間に適切な量の直流電流を流す必要がある。そして、適切な量の直流電流を流すことが可能なオフセット電圧Ｖｏｆｆの値は、記録シートの厚みや絶対湿度によって異なってくる。記録シートの厚みが大きくなったり、絶対湿度が低くなったりするほど、記録シートの電気抵抗が高くなって記録シートに直流電流が流れ難くなる。このため、記録シートの厚みが大きくなったり、絶対湿度が低くなったりするほど、オフセット電圧Ｖｏｆｆを大きくしないとベルト表面と記録シートとの間に流れる直流電流の量が不足して画像濃度不足を引き起こしてしまう。
【００６８】
そこで、本発明者らは、次のような交流バイアス出力部と、直流バイアス出力部とを転写電源に設けた。即ち、交流バイアスのピークツウピーク電圧値Ｖｐｐを定電圧制御で出力し、且つその出力目標値を温度などの転写影響要因に応じて変化させる交流バイアス出力部、及び直流バイアスを定電流制御で出力する直流バイアス出力部である。かかる構成においては、交流バイアスのピークツウピーク電圧値Ｖｐｐを転写影響要因に応じた適切な値に変化させるとともに、直流バイアスを定電流制御で出力して記録シートの電気抵抗にかかわらずベルト表面と記録シートとの間に一定量の直流電流を流す。本発明者らは、かかる構成により、転写影響要因にかかわらず記録シートの表面の凹部で十分な画像濃度が得られるようになると考えていた。
【００６９】
ところが、低温低湿環境下において、記録シートの凹部で十分な画像濃度を得ることができなかった。そして、その原因には、放電によるトナーの逆帯電が関与していることがわかった。具体的には、上述したように、低温低湿環境下では、高温高湿環境下に比べて「必要ピークツウピーク」がより大きくなる。環境が低温低湿側に変化しても、記録シートの電気抵抗が変化しないのであれば、２次転写ローラの電気抵抗の上昇だけが「必要ピークツウピーク」をより大きくする原因になる。しかし、環境が低温低湿側に変化すると、水分蒸発によって記録シートの電気抵抗が高くなることから、定電流制御で出力される直流電圧の値（オフセット電圧Ｖｏｆｆ）がより大きくなる。このようにオフセット電圧Ｖｏｆｆがより大きくなっても、戻し方向の電界について「戻し方向必要電界強度」を確保するためには、交流バイアスのピークツウピーク電圧値もそれに応じて大きな値にしなければならない。このため、環境が低温低湿側に変化することに伴って「必要ピークツウピーク」がより大きくなる原因には、２次転写ローラの電気抵抗が上昇することに加えて、記録シートの電気抵抗が上昇することも関与している。２次転写ローラの電気抵抗によっては、ピークツウピーク電圧値Ｖｐｐを「必要ピークツウピーク」と同じ値まで大きくすると、送りピーク値Ｖｔが大きくなり過ぎる。そして、２次転写ニップ内の記録シート表面の凹部内で放電を発生させて凹部内のトナー粒子を逆帯電させてしまう。この逆帯電により、画像におけるシート表面の凹部の箇所に白点状の白抜けが発生して、シート表面における凹部上での画像濃度不足の原因になっていたのである。トナーが全く付着していない白点状の白抜けは非常に目立つ現象であるので、凹凸にならった濃淡パターンがより顕著になってしまう。
【００７０】
そこで、本発明者らは、以下のような更なるプリント実験を行った。なお、以下に説明する各種のプリント実験において使用されるプリント試験機は、実施形態に係るプリンタと同様の基本的な構成を備えているものである。また、２次転写バイアス電源３９としては、ファンクションジェネレーター（横河電機ＦＧ３００）で重畳電圧の波形を作り、それをアンプ（Ｔｒｅｋ  Ｈｉｇｈ  Ｖｏｌｔａｇｅ  Ａｍｐｌｉｆｉｒ  Ｍｏｄｅｌ１０／４０）で増幅して出力するものを用いた。
［第１プリント実験］
プリント試験機の各種パラメータを次のように設定した。
・プロセス線速ｖ＝２８２［ｍｍ／ｓ］
・２次転写バイアスのオフセット電圧Ｖｏｆｆ＝−１０００［Ｖ］で定電圧制御
・２次転写バイアスの交流成分のピークツウピーク電圧値Ｖｐｐ＝７［ｋＶ］で定電圧制御
・交流成分の周波数ｆ＝５００［Ｈｚ］
【００７１】
記録シートとして、特殊製紙株式会社製のレザック６６（商品名）  １７５ｋｇ紙（四六版連量）と、レザック６６  ２１５ｋｇ紙（四六版連量）とを使用した。レザック６６は「さざ波」よりも紙表面の凹凸の度合いが大きい紙である。紙表面の凹部の深さは最大で１００［μｍ］程度である。実験室については、温度＝２３［℃］、湿度＝５０［％］に設定した。
【００７２】
以上の条件で、Ａ４サイズの全黒ベタ画像を、レザック６６  １７５ｋｇ紙と、レザック６６  ２１５ｋｇ紙とにそれぞれプリントした。すると、１７５ｋｇ紙では、紙表面における凹部のない平滑部と、凹部とでそれぞれ十分な画像濃度が得られていたのに対し、２１５ｋｇ紙では、平滑部と凹部とでそれぞれ十分な画像濃度が得られなかった。２次転写バイアスのオフセット電圧Ｖｏｆｆを単純に定電圧で出力しているだけでは、１７５ｋｇ紙よりも電気抵抗の高い２１５ｋｇ紙に対して２次転写ニップで必要量の直流電流を流すことができなかった。このため、平滑部、凹部の両方で十分な画像濃度が得られなかったと思われる。
【００７３】
［第２プリント実験］
２次転写バイアスの直流電圧を２次転写バイアス電源３９から定電流制御で出力させるようにした。２次転写バイアスの直流成分の電流値であるオフセット電流Ｉｏｆｆの出力目標値については、−４７．５［μＡ］に設定した。これらの点の他は、第１プリント実験と同様の条件で、Ａ４サイズの全黒ベタ画像を、レザック６６  １７５ｋｇ紙と、レザック６６  ２１５ｋｇ紙とにそれぞれプリントした。すると、１７５ｋｇ紙、２１５ｋｇ紙の両方においてそれぞれ、紙表面における平滑部と凹部との両方で十分な画像濃度が得られた。１７５ｋｇ紙、これよりも電気抵抗の高い２１５ｋｇ紙の何れにおいても、紙に対して２次転写ニップで必要量の直流電流を流すことができため、平滑部、凹部の両方で十分な画像濃度が得られたのである。
【００７４】
［第３プリント実験］
プリント試験機の各種パラメータを次のように設定した。
・プロセス線速ｖ＝１７６［ｍｍ／ｓ］
・２次転写バイアスの交流成分の周波数ｆ＝５００［Ｈｚ］
・２次転写バイアスの交流成分のピークツウピーク電圧値Ｖｐｐについては、様々な値で定電圧制御
・２次転写バイアスの直流成分のオフセット電流Ｉｏｆｆについては、様々な値で定電流制御
【００７５】
記録シートとしては、レザック６６  １７５ｋｇ紙を用いた。また、実験室の環境は、温度＝１０［℃］、湿度＝１５［％］に設定した。そして、マゼンタのハーフトーン画像とマゼンタとシアン画像との重ね合わせによる青ベタ画像を、様々なピークツウピーク電圧値Ｖｐｐや直流成分の条件でそれぞれプリントした。そして、出力されたハーフトーン画像と青ベタ画像とについて、それぞれ、紙表面の凹部へのトナー転写性、平滑部へのトナー転写性、及び凹部における白抜けの発生状況について目視で評価した。
【００７６】
紙表面の平滑部へのトナー転写性は、ベルト表面上のトナー粒子を平滑部に転移させる性能である。平滑部へのトナー転写性については、平滑部に対して十分な画像濃度が得られるほどに良好にトナー粒子を転移させている場合を○として評価した。また、平滑部に対してやや薄いものの許容レベルの画像濃度が得られるほどの量のトナー粒子を転移させている場合を△、平滑部に対して許容レベルを下回るトナー粒子しか転移させていない場合を×として評価した。
【００７７】
また、紙表面の凹部へのトナー転写性は、凹部にトナー粒子を転移させる性能である。凹部へのトナー転写性については、凹部に対して十分な画像濃度が得られるほどに良好にトナー粒子を転移させている場合を○として評価した。また、凹部に対してやや薄いものの、許容レベルの画像濃度が得られるほどの量のトナー粒子を転移させている場合を△、凹部に対して許容レベルを下回るトナー粒子しか転移させていない場合を×として評価した。なお、凹部へのトナー転写性については、白抜けによるトナー粒子の転移不良を除外して評価しているため、白抜けが発生している画像については、凹部上の画像箇所のうち、白抜けのない領域の画像濃度に基づいて評価した。
【００７８】
また、凹部における白抜けの発生状況については、白抜けが全く発生していない場合を○、やや白抜けが発生しているものの許容レベルである場合を△、許容レベルを超える白抜けが発生している場合を×として評価した。
【００７９】
第３プリント実験で採用したピークツウピーク電圧値Ｖｐｐやオフセット電流Ｉｏｆｆの条件を次の表１に示す。なお、交流バイアスとしては、条件１〜条件７においては、図１０に示されるような正弦波状のものを採用した。これに対し、条件８においては、後述する第８プリント実験と同様に、交流バイアスとして、矩形波状のものであって、且つ戻し時間比が４０［％］であるものを採用した。
【表１】
2018022183.tif 000003
【００８０】
表１からわかるように、条件１では、ピークツウピーク電圧値Ｖｐｐにかかわらず、オフセット電流Ｉｏｆｆの出力目標値を−４０［μＡ］に固定している。これに対し、条件２〜８ではそれぞれ、ピークツウピーク電圧値Ｖｐｐを大きくするにつれて、オフセット電流Ｉｏｆｆの出力目標値を小さくしている。
【００８１】
各条件における画像の評価結果を次の表２に示す。
【表２】
2018022183.tif 000004
表２において、ＯＫという評価結果は、平滑部へのトナー転写性、凹部へのトナー転写性、及び白抜けの発生状況の３項目が何れも○という評価結果になったことを示している。また、ＯＫという評価結果になっていない欄では、３項目のうち、○という評価結果が得られなかった項目だけについて評価結果が記載されており、欄内に評価結果が記載されていない項目については○という評価結果になっている。例えば、条件２のＶｐｐ＝４ｋＶにおける青ベタ画像では、凹部へのトナー転写性の評価結果が×になったが、欄内に記載されていない平滑部へのトナー転写性や白抜けの発生状況は、何れも○という評価結果になっている。また、条件２のＶｐｐ＝１０ｋＶにおける青ベタ画像では、白抜けの発生状況の評価結果が△になったが、欄内に記載されていない凹部へのトナー転写性や平滑部へのトナー転写性は、何れも○という評価結果になっている。また、条件７のＶｐｐ＝１０ｋＶにおける青ベタ画像では、平滑部へのトナー転写性の評価結果が△になったが、欄内に記載されていない凹部へのトナー転写性や白抜けの発生状況については、何れも○という評価結果になっている。
【００８２】
表１と表２とを合わせたものを、次の表３に示す。なお、表３では、画質の評価結果が×になった欄には斜線を付している。
【表３】
2018022183.tif 000005
【００８３】
表３に示されるように、ピークツウピーク電圧値Ｖｐｐを大きくするにつれて、オフセット電流Ｉｏｆｆを小さくする構成の方が、オフセット電流Ｉｏｆｆを一定にしている構成に比べて、よい結果が得られている。中でも、条件８が最もよい結果になった。
但し、例えば条件８において、ピークツウピーク電圧値Ｖｐｐを４［ｋＶ］に設定した条件でオフセット電流Ｉｏｆｆを−４０［μＡ］まで大きくしなくても、良い結果が得られるかもしれない。例えばピークツウピーク電圧値Ｖｐｐ＝１２［ｋＶ］の場合と同様に、−２４［μＡ］でも良い結果が得られるかもしれない。即ち、ピークツウピーク電圧値Ｖｐｐを大きくするにつれてオフセット電流Ｉｏｆｆを小さくするのではなく、ピークツウピーク電圧値Ｖｐｐにかかわらず、オフセット電流Ｉｏｆｆを−２４［μＡ］に設定するのである。このようにしても、条件８と同様の良い結果が得られるかもしれない。
【００８４】
そこで、表４に示すように、新たに条件９、条件１０、及び条件１１を追加して、それぞれの条件で同様のプリント実験を行った。
【表４】
2018022183.tif 000006
【００８５】
表４からわかるように、ピークツウピーク電圧値Ｖｐｐを４［ｋＶ］に設定した場合には、オフセット電流Ｉｏｆｆを少なくとも−３８［μＡ］まで高めないと、記録シート表面の平滑部（凸部）で青ベタ画像の画像濃度不足が発生してしまう。よって、ピークツウピーク電圧値Ｖｐｐにかかわらず、オフセット電流Ｉｏｆｆを一定にした構成では、ピークツウピーク電圧値Ｖｐｐを比較的大きな値にした場合に、記録シート表面の平滑部で十分が画像濃度が得られなくなってしまうことがわかった。
【００８６】
なお、条件８において、ピークツウピーク電圧値Ｖｐｐを大きくするにつれて、オフセット電流Ｉｏｆｆを小さくしても、記録シート表面の平滑部で画像濃度不足を発生させていない。これは、ピークツウピーク電圧値Ｖｐｐを大きくするにつれて、「送り方向必要電界強度」が小さくなることを意味している。このような現象が起こるのは、ピークツウピーク電圧値Ｖｐｐが大きくなるにつれて、トナー粒子を中間転写ベルト表面から離脱させ易くなるからだと考えられる（ベルト〜トナー粒子の付着力が弱まる）。
【００８７】
また、条件８は、電位条件だけに着目すれば条件５と同じであるが、交流バイアスの波形が異なっている。具体的には、条件５は交流バイアスが正弦波状の波形（図１０）であるのに対し、条件８は交流バイアスが矩形波状で且つ戻し時間比が４０％である波形（図１６）になっている。このことから、同じ電位条件であれば、交流バイアスとして正弦波状のものを採用するよりも、矩形波状であって且つ戻し時間比が５０％未満である波形のものを採用する方が、良好な結果が得られることがわかる。なお、戻し時間比については、後述する第８プリント実験で詳しく説明する。
【００８８】
［第４プリント実験］
レザック６６においては、四六版連量が大きくなるほど、紙厚が大きくなって紙表面の凹部の深さが大きくなることから、２次転写ニップＮにおいて、凹部に転移したトナー粒子とベルト表面との距離が大きくなる。このため、レザック６６の四六版連量が大きくなるほど、凹部に転移したトナー粒子をベルト表面に戻すのに必要な戻しピーク値Ｖｒの値が大きくなる。よって、交流電圧のピークツウピーク電圧値Ｖｐｐについては、環境の低温低湿下に伴って大きくすることに加えて、紙厚の増大化に伴って大きくすることが望ましい。前者は、低温低湿化による２次転写裏面ローラ３３の高抵抗化にかかわらず、２次転写裏面ローラ３３の表面電位を一定にするための処理であるのに対し、後者は、紙の凹部深さの増大化による戻しピーク値Ｖｒの適正値の増大化に対応するためである。
【００８９】
そこで、実験室の環境を、温度＝１０［℃］、湿度＝１５［％］（低温低湿）に設定した条件で、様々な四六版連量のレザック６６を用いて、それぞれに適切なピークツウピーク電圧値Ｖｐｐやオフセット電流Ｉｏｆｆを調べる実験を行った。この実験の結果を次の表５に示す。
【表５】
2018022183.tif 000007
表５において、条件１２では、ピークツウピーク電圧値Ｖｐｐにかかわらず、オフセット電流Ｉｏｆｆの出力目標値を−４０［μＡ］に固定している。これに対し、条件１３、条件１４、条件１５、条件１６ではそれぞれ、ピークツウピーク電圧値Ｖｐｐを大きくするにつれて、オフセット電流Ｉｏｆｆの出力目標値を小さくしている。
【００９０】
表５からわかるように、記録シートの厚みが厚くなるにつれて（１００ｋｇ→１７５ｋｇ）、ピークツウピーク電圧値Ｖｐｐを大きくして平滑部の画像濃度不足を回避する場合にも、次のようにすることで、画質を良好に維持することができた。即ち、ピークツウピーク電圧値Ｖｐｐを大きくするにつれてオフセット電流Ｉｏｆｆを小さくするのである。具体的には、「送り方向必要電界強度」を維持して平滑部や凹部で十分な画像濃度を実現しつつ、送りピーク値Ｖｔの増大化を抑えて白抜けの発生を抑えることができた。
【００９１】
［第５プリント実験］
環境変動に伴う２次転写裏面ローラ３３の抵抗変化に対するピークツウピーク電圧値Ｖｐｐの適正値の変動を調べるために、実験室の温湿度を変化させながら、テスト画像をプリントした。何れの環境においても、記録シートについては、レザック６６  １７５ｋｇ紙を用いた。この実験の結果を次の表６に示す。
【表６】
2018022183.tif 000008
【００９２】
表６において、条件１７では、ピークツウピーク電圧値Ｖｐｐにかかわらず、オフセット電流Ｉｏｆｆの出力目標値を−３８［μＡ］に固定している。これに対し、条件１８、条件１９、条件２０、条件２１ではそれぞれ、ピークツウピーク電圧値Ｖｐｐを大きくするにつれて、オフセット電流Ｉｏｆｆの出力目標値を小さくしている。
【００９３】
表６からわかるように、環境が低温低湿化するにつれて（３２℃８０％→１０℃ｐ１５％）、ピークツウピーク電圧値Ｖｐｐを大きくして平滑部の画像濃度不足を回避する場合にも、次のようにすることで、画質を良好に維持することができた。即ち、ピークツウピーク電圧値Ｖｐｐを大きくするにつれてオフセット電流Ｉｏｆｆを小さくするのである。具体的には、「送り方向必要電界強度」を維持して平滑部や凹部で十分な画像濃度を実現しつつ、送りピーク値Ｖｔの増大化を抑えて白抜けの発生を抑えることができた。
【００９４】
［第６プリント実験］
２次転写ニップＮ内で、紙表面の凹部内に転移したトナー粒子をベルト表面に有効に戻すことができる戻し時間を調べるためのプリント実験を行った。戻し時間は、重畳電圧からなる２次転写バイアスが交流１周期内において戻し方向の極性になっている時間である。これに対し、送り時間は、２次転写バイアスが交流１周期内において送り方向の極性になっている時間である。戻し時間と送り時間との合計は、交流１周期と同じ値になる。また、戻し時間比は、交流１周期内において戻し時間が占める割合である。戻し時間比を５０［％］にし、且つ２次転写バイアスの交流成分の周波数ｆを適宜変化させて、それぞれの条件で青ベタ画像の凹部上の画像濃度を測定した。この実験によって得られた凹部のＩＤｍａｘ値と交流成分の周波数ｆとの関係を、図１５に示す。
【００９５】
図１５から、交流成分の周波数が１６０００［Ｈｚ］を超えると、凹部のＩＤｍａｘ値が急激に低下してしまうことがわかる。これは交流１周期が０．０６［ｍｓｅｃ］を下回ると、凹部のＩＤｍａｘ値が急激に低下してしまうことを意味しており、この実験では戻し時間比＝５０［％］である。よって、戻し時間が０．０３［ｍｓｅｃ］を下回ると、凹部のＩＤｍａｘ値が急激に低下してしまうことになる。
【００９６】
［第７プリント実験］
交流成分のピークツウピーク電圧Ｖｐｐ＝２５００［Ｖ］、オフセット電圧Ｖｏｆｆ＝−８００［Ｖ］、戻し時間比＝２０［％］にそれぞれ設定した。この条件にて、交流成分の周波数ｆと、プロセス線速ｖとを変化させながら、それぞれの周波数ｆ及びプロセス線速ｖの条件で青ベタ画像を普通紙に出力し、出力された青ベタ画像を目視で観察した。そして、２次転写ニップＮ内の交番電界の影響と思われる画像濃度ムラ（ピッチムラ）の有無を評価した。すると、同じ周波数ｆの条件では、プロセス線速ｖを速くするほどピッチムラを発生させ易くなり、同じプロセス線速ｖの条件では、周波数ｆを低くするほどピッチムラを発生させ易くなることがわかった。
【００９７】
この結果は、２次転写ニップＮ内で、トナーをある程度の回数（以下、ニップ内往復回数Ｎという）だけ中間転写ベルトと紙表面の凹部との間で往復移動させないと、ピッチムラを発生させてしまうことを示している。プロセス線速ｖ＝２８２［ｍｍ／ｓ］且つ周波数ｆ＝４００［Ｈｚ］という条件では、ピッチムラは認められなかったが、プロセス線速Ｖ＝２８２［ｍｍ／ｓ］で且つ周波数ｆ＝３００［Ｈｚ］という条件ではピッチムラが認められた。２次転写ニップＮのベルト移動方向の長さである２次転写ニップＮ幅ｄは３［ｍｍ］に設定している。よって、ピッチムラは認められなかった条件におけるニップ内往復回数Ｎは、（３ｍｍ×４００Ｈｚ／２８２ｍｍ／ｓ）＝約４回と計算され、この値であればピッチムラをギリギリで回避することができることになる。すなわち、このニップ内往復回数は最低ニップ内往復回数となる。
【００９８】
また、プロセス線速ｖ＝１４１［ｍｍ／ｓ］で且つ周波数ｆ＝２００［Ｈｚ］という条件では、ピッチムラは認められなかったが、プロセス線速Ｖ＝１４１［ｍｍ／ｓ］で且つ周波数ｆ＝１００［Ｈｚ］という条件ではピッチムラが認められた。プロセス線速ｖ＝１４１［ｍｍ／ｓ］で且つ周波数ｆ＝２００［Ｈｚ］という条件も、プロセス線速ｖ＝２８２［ｍｍ／ｓ］で且つ周波数ｆ＝４００［Ｈｚ］という条件と同様に、ニップ内往復回数Ｎが（３ｍｍ×２００Ｈｚ／１４１ｍｍ／ｓ）約４回と計算される。よって、「周波数ｆ＞（４／ｄ）＊ｖ」という最低条件を具備することで、ピッチムラのない画像を得ることができると言える。
【００９９】
［第８プリント実験］
２次転写バイアスの交流成分として、正弦波ではなく、図１６に示されるような矩形波のものを２次転写バイアス電源３９から出力させるようにした。この矩形波のデューティは５０［％］にはなっていない。戻し方向の極性への立ち上がり時間が、送り方向の極性への立ち下がり時間よりも短いことから、戻し時間比が５０［％］よりも低くなっている。図示の状態では、直流成分を重畳しているが、矩形波であることから、直流成分を重畳していなくても、戻し時間比が５０［％］よりも低くなっている。このように、交流成分だけでも戻し時間比が５０［％］よりも低くなる波形の交流成分を採用すると、次のような効果を得ることができた。即ち、正弦波のように、交流成分だけでは戻し時間比が５０［％］になる波形の交流成分を採用する場合よりも、より低いピークツウピーク電圧値Ｖｐｐの条件にて、平滑部、凹部の両方で十分な画像濃度を得ることができた。送り方向の電界が比較的弱くても、送り方向の立ち下がり時間が比較的長ければ、ベルト方面から紙表面の平滑部に十分量のトナー粒子を転移させることが可能になるからである。よって、交流成分だけで戻し時間比が５０［％］よりも低くなる波形の交流成分を採用することで、戻し時間比が５０［％］になる波形の交流成分を採用する場合に比べて、白点の発生を抑えることができる。
【０１００】
なお、前述した第１プリント実験や第２プリント実験では、図１６に示されるような矩形波であって、戻し時間比が４０［％］になる波形の交流成分を採用している。また、第３プリント実験においても、条件８だけについては、同様の交流成分を採用している。
【０１０１】
［第９プリント実験］
２次転写ニップ内における中間転写ベルト上の単位面積あたりのトナー付着量が変動することによるピークツウピーク電圧値Ｖｐｐの適正値の変動を調べるために、画像面積の異なる複数のテスト画像をそれぞれ様々な電位条件のもとでプリントした。２次転写ニップ内におけるトナー像の画像面積率は、２次転写ニップ内におけるベルト上の単位面積あたりのトナー付着量と相関関係にある。よって、画像面積率を把握することは、２次転写ニップ内におけるベルト上の単位面積あたりのトナー付着量を把握していることになる。
【０１０２】
記録シートとしては、レザック１７５ｋｇ紙を使用した。また、重畳バイアスからなる２次転写バイアスの直流バイアスについては、定電流制御ではなく、定電圧制御によって一定の出力電圧値になるようにした。それぞれの画像面積率で出力されたテスト画像において、平滑部の画像濃度、凹部の画像濃度、白抜けをそれぞれ目視で評価した。この第９プリント実験における電位条件及び評価結果は次の表７に示される通りである。なお、この表７において、Ｖｏｆｆは、直流バイアスとしてのオフセット電圧Ｖｏｆｆを表している。
【表７】
2018022183.tif 000009
【０１０３】
ピークツウピーク電圧値Ｖｐｐを画像面積率にかかわらず一定にしている条件２２と、画像面積率に応じて変化させている条件２３との比較から、画像面積率の増加に伴って、紙表面の凹部に十分量のトナーを転移させるのに必要なＶｐｐが高くなるのがわかる。但し、条件２３のように、比較的高い画像面積率の場合に、ピークツウピーク電圧値Ｖｐｐを比較的高くしているにもかかわらず、直流バイアスを比較的低い画像面積率の場合と同じ値にすると、放電に起因する白抜けを画像に発生させてしまう。そこで、条件２４や条件２５のように、画像面積率の増加に伴ってピークツウピーク電圧値の出力目標値を高くしつつ、直流バイアスの出力目標値を低くする。これにより、紙表面の凹部で十分な画像濃度を得つつ、白抜けの発生を抑えることができる。なお、画像面積率の増加に伴って、直流バイアスの定電圧制御における出力目標値を低くする例について説明したが、直流バイアスの定電流制御における出力目標値を低くしてもよい。また、画像面積率に応じてピークツウピーク電圧値の出力目標値の設定については、ユーザーが画像面積率に応じて手動で行ってもよいし、画像形成装置が画像面積率に応じて自動で行なってもよい。
【０１０４】
次に、実施形態に係るプリンタの特徴的な構成について説明する。
図１７は、実施形態に係るプリンタの電気回路の一部を示すブロック図である。同図において、制御部６０は、演算手段たるＣＰＵ（Central Processing Unit）６０ａ、データ記憶手段たるＲＡＭ（Random Access Memory）６０ｃ、ＲＯＭ（Read Only Memory）６０ｂ、フラッシュメモリ（ＦＭ）６０ｄ等を有している。プリンタ全体の制御を司る制御部６０には、様々な機器やセンサが接続されているが、同図では、本プリンタの特徴的な構成に関連するものだけを示している。
【０１０５】
１次転写電源８１Ｙ，Ｍ，Ｃ，Ｋは、１次転写ローラ（３５Ｙ，Ｍ，Ｃ，Ｋ）に印加するための１次転写バイアスを出力するものである。また、２次転写バイアス電源３９は、既に何度も述べているように、２次転写裏面ローラ（３３）に印加するための２次転写バイアスを出力するものである。また、オペレーションパネル５０は、図示しないタッチパネルや複数のキーボタンなどから構成あれていて、タッチパネルの画面に画像を表示したり、タッチパネルやキーボタンによって操作者による入力操作を受け付けたりすることができる。操作者は、オペレーションパネル５０に対する入力操作により、給紙カセット（１００）に対してどのような種類の記録シートをセットしたのかを入力することができる。以下、記録シートの種類をシート種という。なお、シート種とは、「さざ波」や「レザック６６」などの紙表面の状態に着目した種類に加えて、１７５ｋｇ紙など、シートの厚みに着目した種類をも反映した概念である。
【０１０６】
２次転写バイアス電源３９は、２次転写バイアスの交流成分のピークツウピーク電圧値Ｖｐｐを定電圧制御で出力する一方で、直流成分のオフセット電流Ｉｏｆｆを定電流制御で出力するようになっている。なお、定電流制御のためには、オフセット電流Ｉｏｆｆの実際の出力値を電流計によって測定し、その結果を出力目標値と同じ値にするように直流電圧の値を増減する処理を実施する必要がある。オフセット電流Ｉｏｆｆの実際の出力値を電流計によって測定する位置については、図１において、２次転写バイアス電源３９の内部であって、２次転写バイアス電源３９の出力端子よりも上流側の位置を例示することができる。また、２次転写バイアス電源３９の外部であって、２次転写裏面ローラ３３の芯金に対して摺擦している電極端子の付近でもよい。
【０１０７】
ＲＯＭ６０ｄは、様々なシート種についてそれぞれ、温湿度環境と、適切なピークツウピーク電圧値Ｖｐｐの出力目標値及びオフセット電流Ｉｏｆｆの出力目標値の組み合わせとの関係を示すデータテーブルを記憶している。このデータテーブルでは、低温低湿環境であって且つ温度値及び湿度値の組み合わせが同じであれば、シート種がより高い電気抵抗のものになるほど、ピークツウピーク電圧値Ｖｐｐの出力目標値を大きくする。この一方で、オフセット電流Ｉｏｆｆの出力目標値を小さくするようになっている。
【０１０８】
かかる構成では、定電圧制御で出力するピークツウピーク電圧値Ｖｐｐの出力目標値を、温湿度や記録シートの電気抵抗などの転写影響要因に応じて変化させる。更に、オフセット電流Ｉｏｆｆを定電流制御で出力して転写ニップ内でベルト表面と記録シートとの間に流れる直流電流の量を適切に制御する。このような制御により、交流バイアスのピークツウピーク電圧値Ｖｐｐをそれほど大きくする必要のない高温高湿環境下では、２次転写ニップ内の記録シートの凹部で放電を発生させないほど小さな値にピークツウピーク電圧値Ｖｐｐを留める。更に、ベルト表面と、記録シート表面の凸部や凹部との間に有効な２次転写電界を形成する。これにより、記録シート表面の凸部と、凹部との両方において十分な画像濃度を得て、記録シート表面の凹凸にならった画像の濃淡パターンの発生を抑えることができる。
【０１０９】
一方、ピークツウピーク電圧値Ｖｐｐを比較的大きくする必要のある低温低湿環境下では、ピークツウピーク電圧値Ｖｐｐを大きくするにつれて、オフセット電流Ｉｏｆｆの出力目標値を小さくする。これにより、送りピーク値Ｖｔをより小さくするとともに、戻しピーク値Ｖｒをより大きくする。このようにして、放電に起因する白抜けの発生を抑え得る値に送りピーク値Ｖｔを留めつつ、記録シート表面の凹部内のトナー粒子を像担持体表面に逆戻りさせ得る戻しピーク値Ｖｒを確保する。オフセット電流Ｉｏｆｆの出力目標値を小さくしたことで、記録シートに流れる直流電流の量がより少なくなることから、記録シート表面の凹部や凸部の両方で画像濃度が薄くなるが、白抜けや、凸部よりも凹部の画像濃度が薄くなる現象は抑えられる。よって、記録シート表面の凹凸にならった画像の濃淡パターンの発生を抑えることができる。
【０１１０】
以上のように、実施形態に係るプリンタでは、環境にかかわらず、記録シートの表面凹凸にならった濃淡パターンの発生を抑えることができる。なお、環境が低温低湿化するにつれて値が大きくなる基本ピークツウピーク電圧値を選択した上で、シート種の電気抵抗が高くなるにつれて値が大きくなる補正シフト値を選択し、両者の加算値をピークツウピーク電圧値の出力目標値としてもよい。こうすることで、環境だけに基づいてピークツウピーク電圧値を決定する場合に比べて、より適切な値にピークツウピーク電圧値を設定することができる。
【０１１１】
なお、交流バイアスを定電圧制御する構成に替えて、交流バイアスを定電流制御する構成を採用してもよい。この場合、情報取得手段による取得結果に応じて、交流バイアスのピークツウピーク電圧値が目標の値となるように、転写バイアス出力手段が出力する交流バイアスの電流の出力目標値を変化させればよい。転写バイアスの電流と電圧の関係は転写部の抵抗によって変化するが、次のようにすることで、抵抗の変化にも対応することが可能である。例えば、転写影響要因である湿度が高湿から低湿まで変化した場合における電流と電圧の関係を予め実験又は計算によって求めておく。そして、高湿時、低湿時それぞれにおいて交流バイアスのピークツウピーク電圧値を目標の値にするように、電流の出力目標値を変化させればよい。
【０１１２】
また、転写影響要因としての湿度に応じてバイアス値を変更することに代えて、他の転写影響要因に応じてバイアス値を変更するようにしてもよい。例えば、第９プリント実験で説明したように、転写影響要因たる画像面積率が高くなるにつれて、ピークツウピーク電圧値の出力目標値（の絶対値）を大きくするとともに、直流バイアスの出力目標値（の絶対値）を低くしてもよい。
【０１１３】
次に、実施形態に係るプリンタにおける一部の構成を他の構成に変更した各変形例に係るプリンタについて説明する。なお、以下に特筆しない限り、各変形例に係るプリンタの構成は実施形態と同様である。
［第１変形例］
図１８は、第１変形例に係るプリンタにおける作像ユニット１の一部を示す構成図である。このプリンタは、単色のトナー像を作像するための作像ユニット１を１つだけ備えている単色機である。同図において、像担持体としての感光体２は、図示しない駆動手段によって図中時計回り方向に回転駆動される。
【０１１４】
感光体２の周囲には、実施形態に係るプリンタと同様の構成の図示しない、ドラムクリーニング装置、除電装置、帯電装置、現像装置等が配設されている。また、感光体２の下方には、ニップ形成部材としての転写ローラ２３５が配設されており、図示しない付勢手段によって感光体２に向けて付勢されながら感光体２に当接して転写ニップを形成している。この転写ニップには、記録シートＰが送り込まれる。そして、感光体２上のトナー像が転写ニップで記録シートＰ上に転写される。
【０１１５】
転写ローラ２３５としては、回転軸部材の周面上に導電性発泡体からなる導電性発泡層が被覆されたものや、芯金上に導電性弾性層が被覆されたものを例示することができる。
【０１１６】
転写ニップを通過して第１面にトナー像が形成された記録シートＰは、図示しない定着装置を経由して第１面にトナー像が定着せしめられる。そして、必要に応じて、図示しない反転再送装置によって転写ニップに再送されて、第２面にもトナー像が転写及び定着される。
【０１１７】
転写ローラ２３５には、転写バイアス電源２４０によって転写バイアスが印加される。電位差発生手段としての転写バイアス電源２４０は、実施形態に係るプリンタの２次転写バイアス電源３９と同様に、直流電源と交流電源とを有している。そして、実施形態に係るプリンタの２次転写バイアスと同様に、交流バイアスのピークツウピーク電圧値Ｖｐｐをそれほど大きくする必要のない高温高湿環境下では、次のような処理を行う。即ち、転写ニップ内の記録シートの凹部で放電を発生させないほど小さな値にピークツウピーク電圧値Ｖｐｐを留めつつ、感光体表面と、記録シート表面の凸部や凹部との間に有効な転写電界を形成する。これにより、記録シート表面の凸部と、凹部との両方において十分な画像濃度を得て、記録シート表面の凹凸にならった画像の濃淡パターンの発生を抑えることができる。一方、ピークツウピーク電圧値Ｖｐｐを比較的大きくする必要のある低温低湿環境下では、ピークツウピーク電圧値Ｖｐｐを大きくするにつれて、オフセット電流Ｉｏｆｆの出力目標値を小さくする。これにより、送りピーク値Ｖｔをより小さくするとともに、戻しピーク値Ｖｒをより大きくする。
【０１１８】
実施形態に係るプリンタでは、２次転写バイアスが印加される２次転写裏面ローラ３３に対してマイナス極性のトナーを静電的に反発させることで、トナー像を２次転写裏面ローラ３３側からニップ形成ローラ３６側に静電移動させていた。これに対し、第１変形例に係るプリンタでは、転写バイアスが印加される転写ローラ２３５に対して、感光体２上のマイナス極性のトナーを静電的に引き寄せることで、トナー像を感光体２側から転写ローラ２３５側に静電移動させる。このため、転写バイアス電源２４０は、転写バイアスとして、図２２と同様の波形のものを出力するようになっている。
【０１１９】
［第２変形例］
図１９は、第２変形例に係るプリンタにおける作像ユニット１の一部と、紙搬送ベルトユニット２１０とを示す構成図である。このプリンタは、単色のトナー像を作像するための作像ユニット１を１つだけ備えている単色機である。同図において、像担持体としての感光体２は、図示しない駆動手段によって図中時計回り方向に回転駆動される。
【０１２０】
感光体２の周囲には、第１実施形態に係るプリンタと同様の構成の図示しない、ドラムクリーニング装置、除電装置、帯電装置、現像装置等が配設されている。また、感光体２の下方には、紙搬送ベルトユニット２１０が配設されている。
【０１２１】
紙搬送ベルトユニット２１０は、無端状の紙搬送ベルト２１１を、そのループ内側に配設された駆動ローラ２１２と従動ローラ２１３とによって張架しながら、駆動ローラ２１２の回転駆動に伴って図中反時計回りに無端移動せしめる。ニップ形成部材としての紙搬送ベルト２１１は、感光体２に当接して転写ニップを形成している。転写ニップの付近では、紙搬送ベルト２１１のループ内側に配設された転写ブラシ２１５や転写ローラ２１４がそれぞれ紙搬送ベルト２１１の裏面に当接している。それら転写ブラシ２１５や転写ローラ２１４には、電位差発生手段としての転写バイアス電源２４０によって転写バイアスが印加される。
【０１２２】
感光体２と紙搬送ベルト２１１との当接による転写ニップには、レジストローラ対１０２によって記録シートが送り込まれる。そして、感光体２上のトナー像が転写ニップで記録シートＰ上に転写される。
【０１２３】
転写ローラ２１４としては、回転軸部材の周面上に導電性発泡体からなる導電性発泡層が被覆されたものや、芯金上に導電性弾性層が被覆されたものを例示することができる。また、転写ブラシ２１５としては、導電性支持体の表面上に複数の導電性繊維の直毛によるブラシ部を設けたものを例示することができる。
【０１２４】
転写ニップを通過して第１面にトナー像が形成された記録シートＰは、図示しない定着装置を経由して第１面にトナー像が定着せしめられる。そして、必要に応じて、図示しない反転再送装置によって転写ニップに再送されて、第２面にもトナー像が転写及び定着される。
【０１２５】
同図では、紙搬送ベルト２１１の周方向における全域のうち、転写ニップのベルト移動方向の中心よりも下流側にずれた位置であって、且つ感光体２との間にベルトを挟み込む位置に、転写ブラシ２１５を当接させているが、転写ニップの中心に当接させてもよい。また、転写ブラシ２１５を転写ローラ２１４よりもベルト移動方向の上流側に配設しているが、両者の位置関係を逆にしてもよい。また、転写ブラシ２１５と転写ローラ２１４とのうち、何れか一方だけを配設してもよい。
【０１２６】
転写ブラシ２１５や転写ローラ２１４には、転写バイアス電源２４０によって転写バイアスが印加される。電位差発生手段としての転写バイアス電源２４０は、実施形態に係るプリンタの２次転写バイアス電源３９と同様に、直流電源と交流電源とを有している。そして、転写バイアスとして、直流電圧だけからなる直流バイアスを出力したり、直流電圧に交流電圧を重畳せしめた重畳バイアスを出力したりすることができる。
【０１２７】
転写ローラ２１４には、転写バイアス電源２４０によって転写バイアスが印加される。転写バイアス電源２４０は、第１変形例に係るプリンタの２次転写バイアスと同様に、交流バイアスのピークツウピーク電圧値Ｖｐｐをそれほど大きくする必要のない高温高湿環境下では、次のような処理を行う。即ち、転写ニップ内の記録シートの凹部で放電を発生させないほど小さな値にピークツウピーク電圧値Ｖｐｐを留めつつ、感光体表面と、記録シート表面の凸部や凹部との間に有効な転写電界を形成する。これにより、記録シート表面の凸部と、凹部との両方において十分な画像濃度を得て、記録シート表面の凹凸にならった画像の濃淡パターンの発生を抑えることができる。一方、ピークツウピーク電圧値Ｖｐｐを比較的大きくする必要のある低温低湿環境下では、ピークツウピーク電圧値Ｖｐｐを大きくするにつれて、オフセット電流Ｉｏｆｆの出力目標値を小さくする。これにより、送りピーク値Ｖｔをより小さくするとともに、戻しピーク値Ｖｒをより大きくする。
【０１２８】
第２変形例に係るプリンタでは、転写バイアスが印加される転写ローラ２１４に対して、感光体２上のマイナス極性のトナーを静電的に引き寄せることで、トナー像を感光体２側から転写ローラ２３５側に静電移動させる。このため、前述した重畳バイアスとしては、第１変形例に係るプリンタと同様の波形のものを採用している。この重畳バイアスは、単位時間あたりにおける平均の絶対値が、上述した直流電圧だけからなる直流バイアスの絶対値よりも小さい値になっている。
【０１２９】
［第３変形例］
図２０は、第３変形例に係るプリンタにおける各色の作像ユニットの一部と、転写ユニット３００とを示す構成図である。同図では、各色について、作像ユニットとして、感光体（２Ｙ，Ｍ，Ｃ，Ｋ）だけを示しているが、感光体の周りには、図２で示されている作像ユニットと同様に、ドラムクリーニング装置、除電装置、帯電装置Ｋ、現像装置等が配設されている。
【０１３０】
各色の感光体２Ｙ，Ｍ，Ｃ，Ｋの下方には、転写ユニット３００が配設されている。この転写ユニット３００は、無端状の転写搬送ベルト３０１を、そのループ内側に配設された次の部材によって張架している。即ち、４つの転写ローラ３０２Ｙ，Ｍ，Ｃ，Ｋ、分離ローラ３０７、駆動ローラ３０３、第１従動ローラ３０４、第２従動ローラ３０５、入口ローラ３０６などである。そして、転写搬送ベルト３０１を駆動ローラ３０３の回転駆動に伴って図中反時計回り方向に無端移動させる。
【０１３１】
転写ローラ３０２Ｙ，Ｍ，Ｃ，Ｋは、感光体２Ｙ，Ｍ，Ｃ，Ｋとの間に、転写搬送ベルト３０１を挟み込んでいる。これにより、ニップ形成部材としての転写搬送ベルト３０１のおもて面と、感光体２Ｙ，Ｍ，Ｃ，Ｋとが当接して、Ｙ，Ｍ，Ｃ，Ｋ用の転写ニップを形成している。
【０１３２】
転写搬送ベルト３０１のループの外では、紙吸着ローラ３０８が、転写搬送ベルト３０１における入口ローラ３０６に対する掛け回し箇所に当接して紙吸着ニップを形成している。また、ベルトクリーニング装置３１１が、転写搬送ベルト３０１における駆動ローラ３０３に対する掛け回し箇所に当接してクリーニングニップを形成している。
【０１３３】
転写ローラ３０２Ｙ，Ｍ，Ｃ，Ｋとしては、回転軸部材の周面上に導電性発泡体からなる導電性発泡層が被覆されたものや、芯金上に導電性弾性層が被覆されたものを例示することができる。転写ローラ３０２Ｙ，Ｍ，Ｃ，Ｋには、転写バイアス電源３１０Ｙ，Ｍ，Ｃ，Ｋによって転写バイアスが印加されている。これにより、転写ローラ３０２Ｙ，Ｍ，Ｃ，Ｋと、感光体２Ｙ，Ｍ，Ｃ，Ｋにおける静電潜像との間に、トナーを感光体側から転写ローラ側に静電移動させる転写電界が形成される。
【０１３４】
また、紙吸着ローラ３０８には、図示しない吸着バイアス電源により、紙吸着バイアスが印加される。この紙吸着ローラ３０８の付近には、レジストローラ対１０２が配設されており、図示しない記録シートを所定のタイミングで紙吸着ニップに向けて送り出す。紙吸着ニップに挟み込まれた記録シートは、静電気力によって転写搬送ベルト３０１のおもて面に吸着される。そして、転写搬送ベルト３０１の無端移動に伴って、Ｙ，Ｍ，Ｃ，Ｋ用の転写ニップを順次通過する。これにより、記録シートの第１面に４色重ね合わせトナー像が形成される。
【０１３５】
Ｙ，Ｍ，Ｃ，Ｋ用の転写ニップのうち、転写工程が最後になるＫ用の転写ニップを通過した記録シートは、転写搬送ベルト３０１の無端移動に伴って、分離ローラ３０７との対向位置にさしかかる。この対向位置では、転写搬送ベルト３０１が大きな巻き付き角で分離ローラ３０７に巻き付いているため、移動方向を急転換させる。転写搬送ベルト３０１の表面に静電吸着された記録シートは、その急転換に追従することができず、ベルト表面から曲率分離される。
【０１３６】
このようにして転写搬送ベルト３０１から分離された記録シートは、図示しない定着装置を経由して第１面にトナー像が定着せしめられる。そして、必要に応じて、図示しない反転再送装置によってレジストローラ対１０２に再送されて、第２面にも４色重ね合わせトナー像が転写及び定着される。
【０１３７】
電位差発生手段としての転写バイアス電源３１０Ｙ，Ｍ，Ｃ，Ｋは、それぞれ、実施形態に係るプリンタの２次転写バイアス電源３９と同様に、直流電源と交流電源とを有している。そして、転写バイアスとして、直流電圧だけからなる直流バイアスを出力したり、直流電圧に交流電圧を重畳せしめた重畳バイアスを出力したりすることができる。
【０１３８】
転写バイアス電源３１０Ｙ，Ｍ，Ｃ，Ｋは、実施形態に係るプリンタの２次転写バイアス電源３９と同様に、直流電源と交流電源とを有している。そして、実施形態に係るプリンタの２次転写バイアスと同様に、交流バイアスのピークツウピーク電圧値Ｖｐｐをそれほど大きくする必要のない高温高湿環境下では、次のような処理を実施する。即ち、転写ニップ内の記録シートの凹部で放電を発生させないほど小さな値にピークツウピーク電圧値Ｖｐｐを留めつつ、感光体表面と、記録シート表面の凸部や凹部との間に有効な転写電界を形成する。これにより、記録シート表面の凸部と、凹部との両方において十分な画像濃度を得て、記録シート表面の凹凸にならった画像の濃淡パターンの発生を抑えることができる。一方、ピークツウピーク電圧値Ｖｐｐを比較的大きくする必要のある低温低湿環境下では、次のような処理を実施する。即ち、ピークツウピーク電圧値Ｖｐｐを大きくするにつれて、オフセット電流Ｉｏｆｆの出力目標値を小さくすることで、送りピーク値Ｖｔをより小さくするとともに、戻しピーク値Ｖｒをより大きくする。
【０１３９】
第３変形例に係るプリンタにおいても、転写バイアスが印加される転写ローラ３０２Ｙ，Ｍ，Ｃ，Ｋに対して、感光体２Ｙ，Ｍ，Ｃ，Ｋ上のマイナス極性のトナーを静電的に引き寄せる。これにより、トナー像を感光体２Ｙ，Ｍ，Ｃ，Ｋ側から転写ローラ３０２Ｙ，Ｍ，Ｃ，Ｋ側に静電移動させる。このため、前述した重畳バイアスとしては、第１変形例に係るプリンタと同様の波形のものを採用している。この重畳バイアスは、単位時間あたりにおける平均の絶対値が、上述した直流電圧だけからなる直流バイアスの絶対値よりも小さい値になっている。
【０１４０】
［第４変形例］
図２１は、第４変形例に係るプリンタの要部を示す要部構成図である。同図において、Ｋ用の作像ユニット１Ｋは、感光体２Ｋの周りに、除電ランプ１４Ｋ、ドラムクリーニング装置３Ｋ、帯電装置６Ｋ、潜像書込ユニット１５Ｋ、現像装置８Ｋなどを有している。潜像書込ユニット１５Ｋは、ＬＥＤアレイを用いて、感光体２Ｋの表面に静電潜像を光書込するものである。Ｙ，Ｍ，Ｃ用の作像ユニット１Ｙ，Ｍ，Ｃも、Ｋ用の作像ユニット１Ｋと同様の構成になっている。
【０１４１】
転写ユニット３０の中間転写ベルト３１は、図中時計回り方向に無端移動せしめられながら、Ｙ，Ｍ，Ｃ，Ｋ用の１次転写ニップを順次通過する。これにより、中間転写ベルト３１のおもて面に４色重ね合わせトナー像が形成される。
【０１４２】
転写ユニット３０の下方には、無端状の紙搬送ベルト４０１を無端移動させる紙搬送ベルトユニット４００が配設されている。紙搬送ベルト４０１は、そのループ内側に配設された駆動ローラ４０２と、２次転写押圧ローラ４０３とによって張架された状態で、駆動ローラ４０２の回転駆動に伴って、図中反時計回り方向に無端移動せしめられる。紙搬送ベルトユニット４００は、紙搬送ベルト４０１の周方向における全域のうち、２次転写押圧ローラ４０３に対する掛け回し箇所を、中間転写ベルト３１の周方向における全域のうち、２次転写裏面ローラ３３に対する掛け回し箇所に当接させている。これにより、中間転写ベルト３１のおもて面と、ニップ形成部材たる紙搬送ベルト４０１のおもて面との当接による２次転写ニップが形成されている。
【０１４３】
２次転写裏面ローラ３３には、実施形態に係るプリンタと同様の構成の２次転写バイアス電源３９により、２次転写バイスが印加される。これに対し、紙搬送ベルトユニット４００の２次転写押圧ローラ４０３は接地されている。これにより、２次転写ニップやその周辺においては、２次転写裏面ローラ３３と２次転写押圧ローラ４０３との間に２次転写電界が形成されている。
【０１４４】
レジストローラ対１０２から２次転写ニップに向けて送り出された記録シートＰの第１面には、中間転写ベルト３１上の４色重ね合わせトナー像が２次転写される。その後、記録シートＰは、紙搬送ベルト４０１のおもて面に吸着された状態で、紙搬送ベルト４０１の無端移動に伴って２次転写ニップを通過する。そして、紙搬送ベルト４０１のループ内側に配設された駆動ローラ４０２との対向位置にさしかかる。この対向位置では、紙搬送ベルト４０１が大きな巻き付き角で駆動ローラ４０２に巻き付いているため、移動方向を急転換させる。紙搬送ベルト４０１の表面に静電吸着された記録シートＰは、その急転換に追従することができず、ベルト表面から曲率分離される。
【０１４５】
このようにして紙搬送ベルト４０１から分離された記録シートＰは、図示しない定着装置を経由して第１面にトナー像が定着せしめられる。そして、必要に応じて、図示しない反転再送装置によってレジストローラ対１０２に再送されて、第２面にも４色重ね合わせトナー像が転写及び定着される。
【０１４６】
２次転写バイアス電源３９は、実施形態に係るプリンタと同様に、直流電源と交流電源とを有している。そして、交流バイアスのピークツウピーク電圧値Ｖｐｐをそれほど大きくする必要のない高温高湿環境下では、次のような処理を行う。即ち、転写ニップ内の記録シートの凹部で放電を発生させないほど小さな値にピークツウピーク電圧値Ｖｐｐを留めつつ、ベルト表面と、記録シート表面の凸部や凹部との間に有効な転写電界を形成する。これにより、記録シート表面の凸部と、凹部との両方において十分な画像濃度を得て、記録シート表面の凹凸にならった画像の濃淡パターンの発生を抑えることができる。一方、ピークツウピーク電圧値Ｖｐｐを比較的大きくする必要のある低温低湿環境下では、次のような処理を行う。即ち、ピークツウピーク電圧値Ｖｐｐを大きくするにつれて、オフセット電流Ｉｏｆｆの出力目標値を小さくすることで、送りピーク値Ｖｔをより小さくするとともに、戻しピーク値Ｖｒをより大きくする。
【０１４７】
なお、２次転写裏面ローラ３３を接地して、２次転写押圧ローラ４０３に対して２次転写バイアスを印加するようにしてもよい。
【０１４８】
以上に説明したものは一例であり、本発明は、次の態様毎に特有の効果を奏する。
［態様Ａ］
態様Ａにおいては、自らの表面にトナー像を担持する像担持体（例えば中間転写ベルト３１）と、前記表面に当接して転写ニップを形成するニップ形成部材（例えばニップ形成ローラ３６）と、前記像担持体と前記ニップ形成部材との間に交番電界からなる転写電界を形成するための転写バイアスを出力する転写バイアス出力手段（例えば２次転写バイアス電源３９）とを備え、前記転写ニップに挟み込んだ記録シートに対して前記像担持体の表面上のトナー像を転写し、且つ、前記転写バイアス出力手段が、転写バイアスとして、直流バイアスに交流バイアスを重畳した重畳バイアスからなるものを出力するものである画像形成装置において、前記転写ニップにおける前記像担持体から前記記録シートへのトナー像の転写性に影響を及ぼす要因となる転写影響要因の情報を取得する情報取得手段（例えば、オペレーションパネル５０、温度センサ５１、湿度センサ５２）を設けるとともに、前記情報取得手段による取得結果に応じて前記交流バイアスのピークツウピーク電圧値の出力目標値を変化させ、且つ、前記出力目標値が大きくなるほど、前記直流バイアスの出力目標値を小さくする処理を実施するように前記転写バイアス出力手段（例えば２次転写電源３９）を構成したことを特徴とするものである。
【０１４９】
［態様Ｂ］
態様Ｂは、態様Ａにおいて、前記直流バイアスを定電流制御によって出力し、且つ前記ピークツウピーク電圧値の出力目標値を大きくするほど前記直流バイアスの定電流制御における出力目標値を小さくする処理を実施するように前記転写バイアス出力手段を構成したことを特徴とするものである。かかる構成では、直流バイアスを定電流制御で出力することで、記録シートの電気抵抗が変化しても、記録シートに対して一定の直流電流を流すことができる。
【０１５０】
［態様Ｃ］
態様Ｃは、態様Ａにおいて、前記直流バイアスを定電圧制御によって出力し、且つ前記ピークツウピーク電圧値の出力目標値を大きくするほど前記直流バイアスの定電圧制御における出力目標値を小さくする処理を実施するように前記転写バイアス出力手段を構成したことを特徴とするものである。
【０１５１】
［態様Ｄ］
態様Ｄは、態様Ｂ又はＣにおいて、前記情報取得手段として、前記転写影響要因の情報たる温度情報を取得するものを用いるとともに、前記温度情報によって示される温度値が低くなるほど前記ピークツウピーク電圧値の出力目標値を大きくする処理を実施するように前記転写バイアス出力手段を構成したことを特徴とするものである。かかる構成では、環境が低温化するのに伴って２次転写裏面ローラ３３などの２次転写バイアスが印加される部材の電気抵抗が高抵抗化しても、転写ニップに必要な強度の交番電界を形成することができる。
【０１５２】
［態様Ｅ］
態様Ｅは、態様Ｂ〜Ｄの何れかにおいて、前記情報取得手段として、前記転写影響要因の情報たる湿度情報を取得するものを用いるとともに、前記湿度情報によって示される湿度値が低くなるほど前記ピークツウピーク電圧値の出力目標値を大きくする処理を実施するように前記転写バイアス出力手段を構成したことを特徴とするものである。かかる構成では、環境が低湿化するのに伴って２次転写裏面ローラ３３などの２次転写バイアスが印加される部材の電気抵抗が高抵抗化しても、転写ニップに必要な強度の交番電界を形成することができる。
【０１５３】
［態様Ｆ］
態様Ｆは、態様Ｂ〜Ｅの何れかにおいて、前記情報取得手段として、前記転写影響要因たる前記転写ニップに送り込まれる記録シートの厚み情報を取得するものを用いるとともに、前記厚み情報によって示される厚み値が大きくなるほど前記ピークツウピーク電圧値の出力目標値を大きくする処理を実施するように前記転写バイアス出力手段を構成したことを特徴とするものである。かかる構成では、記録シートの厚みが大きくなるのに伴って記録シートの電気抵抗が大きくなっても、転写ニップに必要な強度の交番電界を形成することができる。
【０１５４】
［態様Ｇ］
態様Ｇは、態様Ｂ〜Ｆの何れかにおいて、前記情報取得手段として、前記転写影響要因の情報たる、前記転写ニップに送り込まれる記録シートの表面凹凸における凹部の深さ情報を取得するものを用いるとともに、前記深さ情報によって示される深さ値が大きくなるほど前記ピークツウピーク電圧値の出力目標値を大きくする処理を実施するように前記転写バイアス出力手段を構成したことを特徴とするものである。かかる構成では、記録シートの表面の凹部深さが大きくなるのに伴って戻しピーク値Ｖｒの適正値がより大きくなっても、転写ニップに必要な強度の交番電界を形成することができる。
【０１５５】
［態様Ｈ］
態様Ｈは、態様Ｂ〜Ｇの何れかにおいて、前記情報取得手段として、前記転写影響要因の情報たる、前記像担持体の表面上の単位面積あたりにおけるトナー付着量の情報を取得するものを用いるとともに、前記トナー付着量の情報によって示される付着量が多くなるほど前記ピークツウピーク電圧値の出力目標値を大きくする処理を実施するように前記転写バイアス出力手段を構成したことを特徴とするものである。かかる構成では、トナー付着量が大きくなるのに伴って送りピーク値Ｖｔの適正値がより大きくなっても、転写ニップに必要な強度の交番電界を形成することができる。
【０１５６】
［態様Ｉ］
態様Ｉは、態様Ａ〜Ｈにおいて、前記交流バイアスを定電圧制御で出力するように、前記転写バイアス出力手段を構成したことを特徴とするものである。
【０１５７】
［態様Ｊ］
態様Ｊは、態様Ａ〜Ｉの何れかにおいて、前記転写バイアスとして、前記重畳バイアスの１周期内における時間平均電位が１周期内における最大電位と最小電位との中心値よりもトナーを前記転写ニップ内で前記像担持体から記録シートに静電転移させ易くする側にシフトした値であるものを出力させるように、前記転写バイアス出力手段を構成したことを特徴とするものである。重畳バイアスの１周期内における時間平均電位が１周期内における最大電位と最小電位との中心値よりもトナーを前記転写ニップ内で前記像担持体から記録シートに静電転移させ易くする側にシフトした値の重畳バイアスは、交流成分だけの戻し時間比が５０［％］を下回るため、戻し時間比が５０［％］である場合に比べて、ピークツウピーク電圧値Ｖｐｐの適正値をより小さくして白抜けの発生を抑えることができる。
【０１５８】
［態様Ｋ］
態様Ｋは、態様Ａ〜Ｊの何れかにおいて、前記転写バイアスとして、前記交流バイアスと前記直流バイアスとを重畳した重畳バイアスからなり、１周期内でプラス極性になる時間であるプラス時間とマイナス極性になるマイナス時間とのうち、前記転写ニップ内における記録シート表面から像担持体表面へのトナーの逆戻りに寄与する方が０．０３［ｍｓｅｃ］以上であるものを出力させるように、前記転写バイアス出力手段を構成したことを特徴とするものである。かかる構成では、紙表面の凹部内に転移したトナー粒子をベルト表面に有効に戻すことで、凹部における画像濃度不足の発生を抑えることができる。
【０１５９】
［態様Ｌ］
態様Ｌは、態様Ａ〜Ｋの何れかにおいて、前記交流バイアスの周波数ｆ［Ｈｚ］と、前記転写ニップの像担持体表面移動方向の長さであるニップ幅ｄ［ｍｍ］と、前記像担持体の表面移動速度ｖ［ｍｍ／ｓ］とについて「ｆ＞（４／ｄ）×ｖ」という条件を具備することを特徴とするものである。かかる構成では、既に説明したように、転写ニップ内のシート表面と像担持体表面との間のトナーの往復移動回数が不足することによる周期的な濃度ムラの発生を回避することができる。
【０１６０】
［態様Ｍ］
態様Ｍは、自らの表面にトナー像を担持する像担持体と、前記表面に当接して転写ニップを形成するニップ形成部材と、前記像担持体と前記ニップ形成部材との間に交番電界からなる転写電界を形成するための転写バイアスを出力する転写バイアス出力手段とを備え、前記転写ニップに挟み込んだ記録シートに対して前記像担持体の表面上のトナー像を転写し、且つ、前記転写バイアス出力手段が、転写バイアスとして、直流バイアスに交流バイアスを重畳した重畳バイアスからなるものを出力するものである画像形成装置において、温度、湿度、前記転写ニップに送り込まれる記録シートの厚み、前記転写ニップに送り込まれる記録シートの表面凹凸における凹部の深さ、および、前記像担持体の表面上の単位面積あたりにおけるトナー付着量、のうちの少なくとも１つの情報を取得する情報取得手段を設けるとともに、前記情報取得手段による取得結果に応じて前記交流バイアスのピークツウピーク電圧値の出力目標値を変化させ、且つ、前記出力目標値が大きくなるほど、前記直流バイアスの出力目標値を小さくする処理を実施するように前記転写バイアス出力手段を構成したことを特徴とするものである。
【０１６１】
［態様Ｎ］
態様Ｎは、態様Ｍにおいて、前記直流バイアスを定電流制御によって出力し、且つ前記ピークツウピーク電圧値の出力目標値を大きくするほど前記直流バイアスの定電流制御における出力目標値を小さくする処理を実施するように前記転写バイアス出力手段を構成したことを特徴とするものである。
【０１６２】
［態様Ｏ］
態様Ｏは、態様Ｍにおいて、前記直流バイアスを定電圧制御によって出力し、且つ前記ピークツウピーク電圧値の出力目標値を大きくするほど前記直流バイアスの定電圧制御における出力目標値を小さくする処理を実施するように前記転写バイアス出力手段を構成したことを特徴とするものである。
【０１６３】
［態様Ｐ］
態様Ｐは、態様Ｍ〜Ｏにおいて、前記交流バイアスを定電圧制御で出力するように、前記転写バイアス出力手段を構成したことを特徴とするものである。
【符号の説明】
【０１６４】
３１：中間転写ベルト（像担持体）
３６：ニップ形成ローラ（ニップ形成部材）
３９：２次転写バイアス電源（転写バイアス出力手段）
５０：オペレーションパネル（情報取得手段）
５１：温度センサ（情報取得手段）
５２：湿度センサ（情報取得手段）
Ｐ：記録シート
【先行技術文献】
【特許文献】
【０１６５】
【特許文献１】特開２００６−２６７４８６号公報
【図１】
2018022183.tif 000010
【図２】
2018022183.tif 000011
【図３】
2018022183.tif 000012
【図４】
2018022183.tif 000013
【図５】
2018022183.tif 000014
【図６】
2018022183.tif 000015
【図７】
2018022183.tif 000016
【図８】
2018022183.tif 000017
【図９】
2018022183.tif 000018
【図１０】
2018022183.tif 000019
【図１１】
2018022183.tif 000020
【図１２】
2018022183.tif 000021
【図１３】
2018022183.tif 000022
【図１４】
2018022183.tif 000023
【図１５】
2018022183.tif 000024
【図１６】
2018022183.tif 000025
【図１７】
2018022183.tif 000026
【図１８】
2018022183.tif 000027
【図１９】
2018022183.tif 000028
【図２０】
2018022183.tif 000029
【図２１】
2018022183.tif 000030
【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
自らの表面にトナー像を担持する像担持体と、
前記表面に当接して転写ニップを形成するニップ形成部材と、
前記像担持体と前記ニップ形成部材との間に交番電界からなる転写電界を形成するための転写バイアスを出力する転写バイアス出力手段とを備え、
前記転写ニップに挟み込んだ記録シートに対して前記像担持体の表面上のトナー像を転写し、
且つ、前記転写バイアス出力手段が、転写バイアスとして、直流バイアスに交流バイアスを重畳した重畳バイアスからなるものを出力するものである画像形成装置であって、
温度情報を取得する温度センサを有し、
前記温度センサによって取得される温度が低くなるほど、前記交流バイアスのピークツウピーク電圧値を大きく、且つ前記直流バイアスの絶対値を小さくすることを特徴とする画像形成装置。
【請求項２】
自らの表面にトナー像を担持する像担持体と、
前記表面に当接して転写ニップを形成するニップ形成部材と、
前記像担持体と前記ニップ形成部材との間に交番電界からなる転写電界を形成するための転写バイアスを出力する転写バイアス出力手段とを備え、
前記転写ニップに挟み込んだ記録シートに対して前記像担持体の表面上のトナー像を転写し、
且つ、前記転写バイアス出力手段が、転写バイアスとして、直流バイアスに交流バイアスを重畳した重畳バイアスからなるものを出力するものである画像形成装置であって、
湿度情報を取得する湿度センサを有し、
前記湿度センサによって取得される湿度が低くなるほど、前記交流バイアスのピークツウピーク電圧値を大きく、且つ前記直流バイアスの絶対値を小さくすることを特徴とする画像形成装置。
【請求項３】
請求項１又は２の画像形成装置において、
前記交流バイアスを定電圧制御で出力するように、前記転写バイアス出力手段を構成したことを特徴とする画像形成装置。
【請求項４】
請求項１乃至３の何れか一項に記載の画像形成装置において、
前記転写バイアスとして、前記重畳バイアスの１周期内における時間平均電位が１周期内における最大電位と最小電位との中心値よりもトナーを前記転写ニップ内で前記像担持体から記録シートに静電転移させ易くする側にシフトした値であるものを出力させるように、前記転写バイアス出力手段を構成したことを特徴とする画像形成装置。
【請求項５】
請求項１乃至４の何れか一項に記載の画像形成装置において、
前記転写バイアスとして、前記重畳バイアスの１周期内でプラス極性になる時間であるプラス時間とマイナス極性になるマイナス時間とのうち、前記転写ニップ内における記録シート表面から像担持体表面へのトナーの逆戻りに寄与する方が０．０３［ｍｓｅｃ］以上であるものを出力させるように、前記転写バイアス出力手段を構成したことを特徴とする画像形成装置。
【請求項６】
請求項１乃至５の何れか一項に記載の画像形成装置において、
前記交流バイアスの周波数ｆ［Ｈｚ］と、前記転写ニップの像担持体表面移動方向の長さであるニップ幅ｄ［ｍｍ］と、前記像担持体の表面移動速度ｖ［ｍｍ／ｓ］とについて「ｆ＞（４／ｄ）×ｖ」という条件を具備することを特徴とする画像形成装置。
【手続補正２】
【補正対象書類名】明細書
【補正対象項目名】０００５
【補正方法】変更
【補正の内容】
【０００５】
上記目的を達成するために、本発明は、自らの表面にトナー像を担持する像担持体と、前記表面に当接して転写ニップを形成するニップ形成部材と、前記像担持体と前記ニップ形成部材との間に交番電界からなる転写電界を形成するための転写バイアスを出力する転写バイアス出力手段とを備え、前記転写ニップに挟み込んだ記録シートに対して前記像担持体の表面上のトナー像を転写し、且つ、前記転写バイアス出力手段が、転写バイアスとして、直流バイアスに交流バイアスを重畳した重畳バイアスからなるものを出力するものである画像形成装置であって、温度情報を取得する温度センサを有し、前記温度センサによって取得される温度が低くなるほど、前記交流バイアスのピークツウピーク電圧値を大きく、且つ前記直流バイアスの絶対値を小さくすることを特徴とするものである。